(57)【要約】【課題】電源スイッチの突然のＯＦＦに対しても機器を安全に停止させること。【解決手段】スイッチ装置において、利用者によりＯＮまたはＯＦＦ操作されるスイッチ操作部１と、スイッチ操作部１がＯＮ操作された場合に閉状態となり、スイッチ操作部１がＯＦＦ操作された場合、閉状態を維持する第１の電気接点を含むスイッチ回路（１）、（２）と、スイッチ操作部１がＯＮ操作された場合に閉状態となり、スイッチ操作部１がＯＦＦ操作された場合に開状態となる第２の電気接点を含む信号スイッチ（４）と、スイッチ操作部１のＯＮ操作またはＯＦＦ操作を検知した場合に、ＯＦＦ操作後の所定のタイミングや所定の処理を完了した後に、電気接点開機構への電気信号の入力によって、第１の電気接点を閉状態から開状態に制御するコントローラ３０２と、を備えた。【選択図】図３
2011171284.tif 000002
【特許請求の範囲】
【請求項１】
スイッチ装置であって、
ＯＮまたはＯＦＦ操作されるスイッチ操作部と、
前記スイッチ操作部がＯＮ側にあるか、ＯＦＦ側にあるかを検知する検知部と、
前記スイッチ操作部をＯＦＦからＯＮに操作するのと同時に、１回路以上の第１の電気接点をＯＮ状態に形成する第１機構と、
前記スイッチ操作部を、ＯＮからＯＦＦに操作すると、前記スイッチ操作部はＯＦＦ側になる一方、１回路以上の前記第１の電気接点はＯＮ状態を維持し、前記第１の電気接点のＯＮからＯＦＦへの変更は、電気信号のＯＦＦ→ＯＮ→ＯＦＦによって行う第２機構と、
を備えたことを特徴とするスイッチ装置。
【請求項２】
スイッチ装置であって、
ＯＮまたはＯＦＦ操作されるスイッチ操作部と、
前記スイッチ操作部がＯＮ側にあるか、ＯＦＦ側にあるかを検知する検知部と、
前記スイッチ操作部をＯＦＦからＯＮに操作するのと同時に、１回路以上の第１の電気接点をＯＮ状態に形成する第１機構と、
前記スイッチ操作部を、ＯＮからＯＦＦに操作すると、前記スイッチ操作部はＯＦＦ側になる一方、１回路以上の前記第１の電気接点はＯＮ状態を維持し、前記第１の電気接点のＯＮからＯＦＦへの変更は、前記スイッチ装置に入力される電気信号のＯＦＦ→ＯＮ→ＯＦＦによって行う第２機構と、
前記スイッチ操作部がＯＮ側に位置し、かつ前記第１の電気接点がＯＮ状態の場合に、前記スイッチ装置に入力される電気信号のＯＦＦ→ＯＮ→ＯＦＦによって、前記第１の電気接点をＯＮからＯＦＦに変更するとともに、前記スイッチ操作部をＯＮ側からＯＦＦ側へ変更する第３機構と
を備えたことを特徴とするスイッチ装置。
【請求項３】
前記第２機構は、短時間の電磁エネルギー供給によって、前記１回路以上の第１の電気接点のＯＮからＯＦＦへの変更を行い、または、
前記第３機構は、短時間の電磁エネルギー供給によって、前記スイッチ操作部のＯＮ側からＯＦＦ側への変更を行うことを特徴とする請求項１または２に記載のスイッチ装置。
【請求項４】
熱膨張率の異なる２つの金属材料を貼り合わせたバイメタルをさらに備え、
前記第２機構は、前記バイメタルの通電により、前記１回路以上の第１の電気接点のＯＮからＯＦＦへの変更を行い、前記バイメタルの通電により前記第１の電気接点がＯＦＦとなった後に前記バイメタルの通電を停止しても、前記第１の電気接点はＯＦＦを維持し、または、
前記第３機構は、前記バイメタルの通電により、前記スイッチ操作部のＯＮ側からＯＦＦ側への変更を行うことを特徴とする請求項１または２に記載のスイッチ装置。
【請求項５】
前記検知部は、前記スイッチ操作部に連動して動作する遮光板とフォトインタラプタであることを特徴とする請求項１または２に記載のスイッチ装置。
【請求項６】
前記検知部は、前記スイッチ操作部をＯＦＦ側からＯＮ側への操作とＯＮ側からＯＦＦ側への操作がおこなわれるごとに、１回路以上の第２の電気接点の状態がＯＮまたはＯＦＦからＯＦＦまたはＯＮに変更されることを検知することを特徴とする請求項１または２に記載のスイッチ装置。
【請求項７】
前記第２機構は、短時間の電磁エネルギー供給により、前記１回路以上の第１の電気接点のＯＮからＯＦＦへの変更を行い、または、
前記第３機構は、短時間の電磁エネルギー供給により、前記スイッチ操作部のＯＮ側からＯＦＦ側への変更を行うことを特徴とする請求項５に記載のスイッチ装置。
【請求項８】
前記第２機構は、前記バイメタルの通電により、前記１回路以上の第１の電気接点のＯＮからＯＦＦへの変更を行い、前記バイメタルの通電により前記第１の電気接点がＯＦＦとなった後に前記バイメタルの通電を停止しても、前記第１の電気接点はＯＦＦを維持し、
前記第３機構は、前記バイメタルの通電により、前記スイッチ操作部のＯＮ側からＯＦＦ側への変更を行うことを特徴とする請求項５に記載のスイッチ装置。
【請求項９】
前記第２機構は、短時間の電磁エネルギーの供給により、前記１回路以上の第１の電気接点のＯＮからＯＦＦへの変更を行い、または、
前記第３機構は、短時間の電磁エネルギーの供給により、前記スイッチ操作部のＯＮ側からＯＦＦ側への変更を行うことを特徴とする請求項６に記載のスイッチ装置。
【請求項１０】
前記第２機構は、前記バイメタルの通電により、前記１回路以上の第１の電気接点のＯＮからＯＦＦへの変更を行い、前記バイメタルの通電により前記第１の電気接点がＯＦＦとなった後に前記バイメタルの通電を停止しても、前記第１の電気接点はＯＦＦを維持し、
前記第３機構は、前記バイメタルの通電により、前記スイッチ操作部のＯＮ側からＯＦＦ側への変更を行うことを特徴とする請求項６に記載のスイッチ装置。
【請求項１１】
前記１回路以上の第１の電気接点は、ＯＮ状態で入力された電源を出力し、ＯＦＦ状態で入力された電源を遮断し、
前記第１の電気接点がＯＮ状態で出力された電源から、前記第１の電気接点のＯＮからＯＦＦへの変更を実現する電源を生成する電源生成部
をさらに備えたことを特徴とする請求項１または２に記載のスイッチ装置。
【請求項１２】
前記１回路以上の第１の電気接点は、ＯＮ状態で入力された電源を出力し、ＯＦＦ状態で入力された電源を遮断し、
前記第１の電気接点がＯＮ状態で出力された電源から、前記第１の電気接点のＯＮからＯＦＦへの変更を実現する電源を生成する電源生成部
をさらに備えたことを特徴とする請求項３に記載のスイッチ装置。
【請求項１３】
前記１回路以上の第１の電気接点は、ＯＮ状態で入力された電源を出力し、ＯＦＦ状態で入力された電源を遮断し、
前記第１の電気接点がＯＮ状態で出力された電源から、前記第１の電気接点のＯＮからＯＦＦへの変更を実現する電源を生成する電源生成部
をさらに備えたことを特徴とする請求項４に記載のスイッチ装置。
【請求項１４】
前記１回路以上の第１の電気接点は、ＯＮ状態で入力された電源を出力し、ＯＦＦ状態で入力された電源を遮断し、
前記第１の電気接点がＯＮ状態で出力された電源から、前記第１の電気接点のＯＮからＯＦＦへの変更を実現する電源を生成する電源生成部
をさらに備えたことを特徴とする請求項７に記載のスイッチ装置。
【請求項１５】
前記１回路以上の第１の電気接点は、ＯＮ状態で入力された電源を出力し、ＯＦＦ状態で入力された電源を遮断し、
前記第１の電気接点がＯＮ状態で出力された電源から、前記第１の電気接点のＯＮからＯＦＦへの変更を実現する電源を生成する電源生成部
をさらに備えたことを特徴とする請求項８に記載のスイッチ装置。
【請求項１６】
前記１回路以上の第１の電気接点は、ＯＮ状態で入力された電源を出力し、ＯＦＦ状態で入力された電源を遮断し、
前記第１の電気接点がＯＮ状態で出力された電源から、前記第１の電気接点のＯＮからＯＦＦへの変更を実現する電源を生成する電源生成部
をさらに備えたことを特徴とする請求項９に記載のスイッチ装置。
【請求項１７】
前記１回路以上の第１の電気接点は、ＯＮ状態で入力された電源を出力し、ＯＦＦ状態で入力された電源を遮断し、
前記第１の電気接点がＯＮ状態で出力された電源から、前記第１の電気接点のＯＮからＯＦＦへの変更を実現する電源を生成する電源生成部
をさらに備えたことを特徴とする請求項１０に記載のスイッチ装置。
【請求項１８】
時間計測を行う時間計測部をさらに備え、
前記第２機構は、前記検知部により、前記スイッチ操作部がＯＮ側からＯＦＦ側に変更になったことを検知したら、前記時間計測部による時間計測を開始し、所定の時間が経過した場合に、前記第１の電気接点のＯＮからＯＦＦへの変更を、電気信号のＯＦＦ→ＯＮ→ＯＦＦにより行うことを特徴とする請求項１または２に記載のスイッチ装置。
【請求項１９】
時間計測を行う時間計測部をさらに備え、
前記第２機構は、前記検知部により、前記スイッチ操作部がＯＮ側からＯＦＦ側に変更になったことを検知したら、前記時間計測部による時間計測を開始し、所定の時間が経過した場合に、前記第１の電気接点のＯＮからＯＦＦへの変更を、電気信号のＯＦＦ→ＯＮ→ＯＦＦにより行うことを特徴とする請求項１２に記載のスイッチ装置。
【請求項２０】
時間計測を行う時間計測部をさらに備え、
前記第２機構は、前記検知部により、前記スイッチ操作部がＯＮ側からＯＦＦ側に変更になったことを検知したら、前記時間計測部による時間計測を開始し、所定の時間が経過した場合に、前記第１の電気接点のＯＮからＯＦＦへの変更を、電気信号のＯＦＦ→ＯＮ→ＯＦＦにより行うことを特徴とする請求項１４に記載のスイッチ装置。
【請求項２１】
時間計測を行う時間計測部をさらに備え、
前記第２機構は、前記検知部により、前記スイッチ操作部がＯＮ側からＯＦＦ側に変更になったことを検知したら、前記時間計測部による時間計測を開始し、所定の時間が経過した場合に、前記第１の電気接点のＯＮからＯＦＦへの変更を、電気信号のＯＦＦ→ＯＮ→ＯＦＦにより行うことを特徴とする請求項１６に記載のスイッチ装置。
【請求項２２】
前記検知部により、前記スイッチ操作部がＯＮ側からＯＦＦ側に変更になったことを検知したら、前記バイメタルに通電する通電部と、
前記第２機構は、前記バイメタルの通電による前記バイメタルの変形によって前記第１の電気接点をＯＮからＯＦＦに変更し、前記第１の電気接点がＯＦＦとなった後に前記バイメタルの通電が停止され、その後、前記バイメタルの変形が復元した場合でも前記第１の電気接点はＯＦＦ状態を維持することを特徴とする請求項１３に記載のスイッチ装置。
【請求項２３】
前記検知部により、前記スイッチ操作部がＯＮ側からＯＦＦ側に変更になったことを検知したら、前記バイメタルに通電する通電部と、
前記第２機構は、前記バイメタルの通電による前記バイメタルの変形によって前記第１の電気接点をＯＮからＯＦＦに変更し、前記第１の電気接点がＯＦＦとなった後に前記バイメタルの通電が停止され、その後、前記バイメタルの変形が復元した場合でも前記第１の電気接点はＯＦＦ状態を維持することを特徴とする請求項１５に記載のスイッチ装置。
【請求項２４】
前記検知部により、前記スイッチ操作部がＯＮ側からＯＦＦ側に変更になったことを検知したら、前記バイメタルに通電する通電部と、
前記第２機構は、前記バイメタルの通電による前記バイメタルの変形によって前記第１の電気接点をＯＮからＯＦＦに変更し、前記第１の電気接点がＯＦＦとなった後に前記バイメタルの通電が停止され、その後、前記バイメタルの変形が復元した場合でも前記第１の電気接点はＯＦＦ状態を維持することを特徴とする請求項１７に記載のスイッチ装置。
【請求項２５】
請求項１または２に記載のスイッチ装置と外部ユニットとを備え、
前記検知部は、前記スイッチ操作部がＯＮ側にあるかＯＦＦ側にあるかを示す信号を前記外部ユニットに出力し、
前記信号が入力された前記外部ユニットは、前記第１の電気接点をＯＮからＯＦＦにするか否か判断し、前記第１の電気接点をＯＮからＯＦＦにすると判断した場合は、電気信号を前記スイッチ装置に出力し、
前記電気信号が入力された前記スイッチ装置は、前記１回路以上の第１の電気接点をＯＮからＯＦＦに変更する、または前記第１の電気接点をＯＮからＯＦＦに変更するとともに前記スイッチ操作部をＯＮ側からＯＦＦ側へ変更することを特徴とするスイッチ装置システム。
【請求項２６】
請求項３に記載のスイッチ装置と外部ユニットとを備え、
前記検知部は、前記スイッチ操作部がＯＮ側にあるかＯＦＦ側にあるかを示す信号を前記外部ユニットに出力し、
前記信号が入力された前記外部ユニットは、前記第１の電気接点をＯＮからＯＦＦにするか否か判断し、前記第１の電気接点をＯＮからＯＦＦにすると判断した場合は、コイルやリレー等を駆動する電力を前記スイッチ装置に出力し、
前記電力が入力された前記スイッチ装置は、前記１回路以上の第１の電気接点をＯＮからＯＦＦに変更する、または前記第１の電気接点をＯＮからＯＦＦに変更するとともに前記スイッチ操作部をＯＮ側からＯＦＦ側へ変更することを特徴とするスイッチ装置システム。
【請求項２７】
請求項４に記載のスイッチ装置と外部ユニットとを備え、
前記検知部は、前記スイッチ操作部がＯＮ側にあるかＯＦＦ側にあるかを示す信号を前記外部ユニットに出力し、
前記信号が入力された前記外部ユニットは、前記第１の電気接点をＯＮからＯＦＦにするか否か判断し、前記第１の電気接点をＯＮからＯＦＦにすると判断した場合は、前記バイメタルを通電させるための電気信号を前記スイッチ装置に出力し、
前記電気信号が入力された前記スイッチ装置は、前記バイメタルの動作によって、前記１回路以上の第１の電気接点をＯＮからＯＦＦに変更する、または前記第１の電気接点をＯＮからＯＦＦに変更するとともに前記スイッチ操作部をＯＮ側からＯＦＦ側へ変更することを特徴とするスイッチ装置システム。
【請求項２８】
請求項５に記載のスイッチ装置と外部ユニットとを備え、
前記検知部は、前記スイッチ操作部がＯＮ側にあるかＯＦＦ側にあるかを示す信号を前記外部ユニットに出力し、
前記信号が入力された前記外部ユニットは、前記第１の電気接点をＯＮからＯＦＦにするか否か判断し、前記第１の電気接点をＯＮからＯＦＦにすると判断した場合は、電気信号を前記スイッチ装置に出力し、
前記電気信号が入力された前記スイッチ装置は、前記１回路以上の第１の電気接点をＯＮからＯＦＦに変更する、または前記第１の電気接点をＯＮからＯＦＦに変更するとともに前記スイッチ操作部をＯＮ側からＯＦＦ側へ変更することを特徴とするスイッチ装置システム。
【請求項２９】
請求項６に記載のスイッチ装置と外部ユニットとを備え、
前記検知部は、前記スイッチ操作部がＯＮ側にあるかＯＦＦ側にあるかを示す信号を前記外部ユニットに出力し、
前記信号が入力された前記外部ユニットは、前記第１の電気接点をＯＮからＯＦＦにするか否か判断し、前記第１の電気接点をＯＮからＯＦＦにすると判断した場合は、電気信号を前記スイッチ装置に出力し、
前記電気信号が入力された前記スイッチ装置は、前記１回路以上の第１の電気接点をＯＮからＯＦＦに変更する、または前記第１の電気接点をＯＮからＯＦＦに変更するとともに前記スイッチ操作部をＯＮ側からＯＦＦ側へ変更することを特徴とするスイッチ装置システム。
【請求項３０】
請求項７に記載のスイッチ装置と外部ユニットとを備え、
前記検知部は、前記スイッチ操作部がＯＮ側にあるかＯＦＦ側にあるかを示す信号を前記外部ユニットに出力し、
前記信号が入力された前記外部ユニットは、前記第１の電気接点をＯＮからＯＦＦにするか否か判断し、前記第１の電気接点をＯＮからＯＦＦにすると判断した場合は、コイルやリレー等を駆動する電力を前記スイッチ装置に出力し、
前記電力が入力された前記スイッチ装置は、前記１回路以上の第１の電気接点をＯＮからＯＦＦに変更する、または前記第１の電気接点をＯＮからＯＦＦに変更するとともに前記スイッチ操作部をＯＮ側からＯＦＦ側へ変更することを特徴とするスイッチ装置システム。
【請求項３１】
請求項８に記載のスイッチ装置と外部ユニットとを備え、
前記検知部は、前記スイッチ操作部がＯＮ側にあるかＯＦＦ側にあるかを示す信号を前記外部ユニットに出力し、
前記信号が入力された前記外部ユニットは、前記第１の電気接点をＯＮからＯＦＦにするか否か判断し、前記第１の電気接点をＯＮからＯＦＦにすると判断した場合は、前記バイメタルを通電させるための電気信号を前記スイッチ装置に出力し、
前記電気信号が入力された前記スイッチ装置は、前記バイメタルの動作によって、前記１回路以上の第１の電気接点をＯＮからＯＦＦに変更する、または前記第１の電気接点をＯＮからＯＦＦに変更するとともに前記スイッチ操作部をＯＮ側からＯＦＦ側へ変更することを特徴とするスイッチ装置システム。
【請求項３２】
請求項９に記載のスイッチ装置と外部ユニットとを備え、
前記検知部は、前記スイッチ操作部がＯＮ側にあるかＯＦＦ側にあるかを示す信号を前記外部ユニットに出力し、
前記信号が入力された前記外部ユニットは、前記第１の電気接点をＯＮからＯＦＦにするか否か判断し、前記第１の電気接点をＯＮからＯＦＦにすると判断した場合は、コイルやリレー等を駆動する電力を前記スイッチ装置に出力し、
前記電力が入力された前記スイッチ装置は、前記１回路以上の第１の電気接点をＯＮからＯＦＦに変更する、または前記第１の電気接点をＯＮからＯＦＦに変更するとともに前記スイッチ操作部をＯＮ側からＯＦＦ側へ変更することを特徴とするスイッチ装置システム。
【請求項３３】
請求項１０に記載のスイッチ装置と外部ユニットとを備え、
前記検知部は、前記スイッチ操作部がＯＮ側にあるかＯＦＦ側にあるかを示す信号を前記外部ユニットに出力し、
前記信号が入力された前記外部ユニットは、前記第１の電気接点をＯＮからＯＦＦにするか否か判断し、前記第１の電気接点をＯＮからＯＦＦにすると判断した場合は、前記バイメタルを通電させるための電気信号を前記スイッチ装置に出力し、
前記電気信号が入力された前記スイッチ装置は、前記バイメタルの動作によって、前記１回路以上の第１の電気接点をＯＮからＯＦＦに変更する、または前記第１の電気接点をＯＮからＯＦＦに変更するとともに前記スイッチ操作部をＯＮ側からＯＦＦ側へ変更することを特徴とするスイッチ装置システム。
【請求項３４】
請求項１１に記載のスイッチ装置と外部ユニットとを備え、
前記検知部は、前記スイッチ操作部がＯＮ側にあるかＯＦＦ側にあるかを示す信号を前記外部ユニットに出力し、
前記信号が入力された前記外部ユニットは、前記第１の電気接点をＯＮからＯＦＦにするか否か判断し、前記第１の電気接点をＯＮからＯＦＦにすると判断した場合は、トリガ信号としての電気信号を前記スイッチ装置に出力し、
前記電気信号が入力された前記スイッチ装置は、前記スイッチ装置内部で生成された電気エネルギーによって、前記１回路以上の第１の電気接点をＯＮからＯＦＦに変更する、または前記第１の電気接点をＯＮからＯＦＦに変更するとともに前記スイッチ操作部をＯＮ側からＯＦＦ側へ変更することを特徴とするスイッチ装置システム。
【請求項３５】
請求項１２に記載のスイッチ装置と外部ユニットとを備え、
前記検知部は、前記スイッチ操作部がＯＮ側にあるかＯＦＦ側にあるかを示す信号を前記外部ユニットに出力し、
前記信号が入力された前記外部ユニットは、前記第１の電気接点をＯＮからＯＦＦにするか否か判断し、前記第１の電気接点をＯＮからＯＦＦにすると判断した場合は、コイルやリレー等を駆動するトリガ信号としての電気信号を前記スイッチ装置に出力し、
前記電気信号が入力された前記スイッチ装置は、前記スイッチ装置内部で生成された電気エネルギーによって、前記１回路以上の第１の電気接点をＯＮからＯＦＦに変更する、または前記第１の電気接点をＯＮからＯＦＦに変更するとともに前記スイッチ操作部をＯＮ側からＯＦＦ側へ変更することを特徴とするスイッチ装置システム。
【請求項３６】
請求項１３に記載のスイッチ装置と外部ユニットとを備え、
前記検知部は、前記スイッチ操作部がＯＮ側にあるかＯＦＦ側にあるかを示す信号を前記外部ユニットに出力し、
前記信号が入力された前記外部ユニットは、前記第１の電気接点をＯＮからＯＦＦにするか否か判断し、前記第１の電気接点をＯＮからＯＦＦにすると判断した場合は、前記バイメタルを通電させるためのトリガ信号としての電気信号を前記スイッチ装置に出力し、
前記電気信号が入力された前記スイッチ装置は、前記スイッチ装置内部で生成された電気エネルギーによる前記バイメタルの動作によって、前記１回路以上の第１の電気接点をＯＮからＯＦＦに変更する、または前記第１の電気接点をＯＮからＯＦＦに変更するとともに前記スイッチ操作部をＯＮ側からＯＦＦ側へ変更することを特徴とするスイッチ装置システム。
【請求項３７】
請求項１４に記載のスイッチ装置と外部ユニットとを備え、
前記検知部は、前記スイッチ操作部がＯＮ側にあるかＯＦＦ側にあるかを示す信号を前記外部ユニットに出力し、
前記信号が入力された前記外部ユニットは、前記第１の電気接点をＯＮからＯＦＦにするか否か判断し、前記第１の電気接点をＯＮからＯＦＦにすると判断した場合は、コイルやリレー等を駆動するトリガ信号としての電気信号を前記スイッチ装置に出力し、
前記電気信号が入力された前記スイッチ装置は、前記スイッチ装置内部で生成された電気エネルギーによって、前記１回路以上の第１の電気接点をＯＮからＯＦＦに変更する、または前記第１の電気接点をＯＮからＯＦＦに変更するとともに前記スイッチ操作部をＯＮ側からＯＦＦ側へ変更することを特徴とするスイッチ装置システム。
【請求項３８】
請求項１５に記載のスイッチ装置と外部ユニットとを備え、
前記検知部は、前記スイッチ操作部がＯＮ側にあるかＯＦＦ側にあるかを示す信号を前記外部ユニットに出力し、
前記信号が入力された前記外部ユニットは、前記第１の電気接点をＯＮからＯＦＦにするか否か判断し、前記第１の電気接点をＯＮからＯＦＦにすると判断した場合は、前記バイメタルを通電させるためのトリガ信号としての電気信号を前記スイッチ装置に出力し、
前記電気信号が入力された前記スイッチ装置は、前記スイッチ装置内部で生成された電気エネルギーによる前記バイメタルの動作によって、前記１回路以上の第１の電気接点をＯＮからＯＦＦに変更する、または前記第１の電気接点をＯＮからＯＦＦに変更するとともに前記スイッチ操作部をＯＮ側からＯＦＦ側へ変更することを特徴とするスイッチ装置システム。
【請求項３９】
請求項１６に記載のスイッチ装置と外部ユニットとを備え、
前記検知部は、前記スイッチ操作部がＯＮ側にあるかＯＦＦ側にあるかを示す信号を前記外部ユニットに出力し、
前記信号が入力された前記外部ユニットは、前記第１の電気接点をＯＮからＯＦＦにするか否か判断し、前記第１の電気接点をＯＮからＯＦＦにすると判断した場合は、コイルやリレー等を駆動するトリガ信号としての電気信号を前記スイッチ装置に出力し、
前記電気信号が入力された前記スイッチ装置は、前記スイッチ装置内部で生成された電気エネルギーによって、前記１回路以上の第１の電気接点をＯＮからＯＦＦに変更する、または前記第１の電気接点をＯＮからＯＦＦに変更するとともに前記スイッチ操作部をＯＮ側からＯＦＦ側へ変更することを特徴とするスイッチ装置システム。
【請求項４０】
請求項１７に記載のスイッチ装置と外部ユニットとを備え、
前記検知部は、前記スイッチ操作部がＯＮ側にあるかＯＦＦ側にあるかを示す信号を前記外部ユニットに出力し、
前記信号が入力された前記外部ユニットは、前記第１の電気接点をＯＮからＯＦＦにするか否か判断し、前記第１の電気接点をＯＮからＯＦＦにすると判断した場合は、前記バイメタルを通電させるためのトリガ信号としての電気信号を前記スイッチ装置に出力し、
前記電気信号が入力された前記スイッチ装置は、前記スイッチ装置内部で生成された電気エネルギーによる前記バイメタルの動作によって、前記１回路以上の第１の電気接点をＯＮからＯＦＦに変更する、または前記第１の電気接点をＯＮからＯＦＦに変更するとともに前記スイッチ操作部をＯＮ側からＯＦＦ側へ変更することを特徴とするスイッチ装置システム。
【請求項４１】
請求項１８に記載のスイッチ装置と外部ユニットとを備え、
前記スイッチ装置は、時間を計測する時間計測部をさらに備え、
前記検知部は、前記スイッチ操作部がＯＮ側にあるかＯＦＦ側にあるかを示す信号を前記外部ユニットに出力し、
前記信号が入力された前記外部ユニットは、前記スイッチ操作部がＯＦＦ側にあることを検知したら、システム電源が遮断されることに対して、電源遮断の準備を、前記時間計測部で計測される所定の時間以内に完了させることを特徴とするスイッチ装置システム
【請求項４２】
請求項１９に記載のスイッチ装置と外部ユニットとを備え、
前記スイッチ装置は、時間を計測する時間計測部をさらに備え、
前記検知部は、前記スイッチ操作部がＯＮ側にあるかＯＦＦ側にあるかを示す信号を前記外部ユニットに出力し、
前記信号が入力された前記外部ユニットは、前記スイッチ操作部がＯＦＦ側にあることを検知したら、システム電源が遮断されることに対して、電源遮断の準備を、前記時間計測部で計測される所定の時間以内に完了させることを特徴とするスイッチ装置システム。
【請求項４３】
請求項２０に記載のスイッチ装置と外部ユニットとを備え、
前記スイッチ装置は、時間を計測する時間計測部をさらに備え、
前記検知部は、前記スイッチ操作部がＯＮ側にあるかＯＦＦ側にあるかを示す信号を前記外部ユニットに出力し、
前記信号が入力された前記外部ユニットは、前記スイッチ操作部がＯＦＦ側にあることを検知したら、システム電源が遮断されることに対して、電源遮断の準備を、前記時間計測部で計測される所定の時間以内に完了させることを特徴とするスイッチ装置システム。
【請求項４４】
請求項２１に記載のスイッチ装置と外部ユニットとを備え、
前記スイッチ装置は、時間を計測する時間計測部をさらに備え、
前記検知部は、前記スイッチ操作部がＯＮ側にあるかＯＦＦ側にあるかを示す信号を前記外部ユニットに出力し、
前記信号が入力された前記外部ユニットは、前記スイッチ操作部がＯＦＦ側にあることを検知したら、システム電源が遮断されることに対して、電源遮断の準備を、前記時間計測部で計測される所定の時間以内に完了させることを特徴とするスイッチ装置システム。
【請求項４５】
請求項２２〜２４のいずれか一つに記載のスイッチ装置と外部ユニットとを備え、
前記検知部は、前記スイッチ操作部がＯＮ側にあるかＯＦＦ側にあるかを示す信号を前記外部ユニットに出力し、
前記信号が入力された前記外部ユニットは、前記第１の電気接点をＯＮからＯＦＦにするか否か判断し、前記第１の電気接点をＯＮからＯＦＦにすると判断した場合は、前記バイメタルを通電させるためのトリガ信号としての電気信号を前記スイッチ装置に出力し、
前記電気信号が入力された前記スイッチ装置は、前記スイッチ装置内部で生成された電気エネルギーによる前記バイメタルの動作によって、前記１回路以上の第１の電気接点をＯＮからＯＦＦに変更する、または前記第１の電気接点をＯＮからＯＦＦに変更するとともに前記スイッチ操作部をＯＮ側からＯＦＦ側へ変更することを特徴とするスイッチ装置システム。
【請求項４６】
前記スイッチ装置システムの周囲の明るさを検知する明るさ検知部をさらに備え、
前記スイッチ装置は、前記スイッチ操作部がＯＮ側に位置する場合に、前記明るさ検知部によって、前記スイッチ装置システムの周囲の明るさが所定の明るさ以下の状態が所定の時間以上継続した場合に、前記第１の電気接点をＯＮからＯＦＦに変更するとともに前記スイッチ操作部をＯＮ側からＯＦＦ側へ変更することを特徴とする請求項２５〜４５のいずれか一つに記載のスイッチ装置システム。
【請求項４７】
前記スイッチ装置システムの周囲の音量を検知する音量検知部をさらに備え、
前記スイッチ装置は、前記スイッチ操作部がＯＮ側に位置する場合に、前記音量検知部によって、前記スイッチ装置システムの周囲の音量が所定の音量以下の状態が所定の時間以上継続した場合に、前記第１の電気接点をＯＮからＯＦＦに変更するとともに前記スイッチ操作部をＯＮ側からＯＦＦ側へ変更することを特徴とする請求項２５〜４５のいずれか一つに記載のスイッチ装置システム。
【請求項４８】
前記スイッチ装置システムの周囲の人体の存在を検知する人体検知部をさらに備え、
前記スイッチ装置は、前記スイッチ操作部がＯＮ側に位置する場合に、前記人体検知部によって、前記スイッチ装置システムの周囲に人体の存在が検知されない状態が所定の時間以上継続した場合に、前記第１の電気接点をＯＮからＯＦＦに変更するとともに前記スイッチ操作部をＯＮ側からＯＦＦ側へ変更することを特徴とする請求項２５〜４５のいずれか一つに記載のスイッチ装置システム。
【請求項４９】
現在時刻を取得する現在時刻取得部をさらに備え、
前記スイッチ装置は、前記スイッチ操作部がＯＮ側に位置する場合に、前記現在時刻取得部によって取得した現在時刻が所定の時刻となった場合に、前記第１の電気接点をＯＮからＯＦＦに変更するとともに前記スイッチ操作部をＯＮ側からＯＦＦ側へ変更することを特徴とする請求項２５〜４５のいずれか一つに記載のスイッチ装置システム。
【請求項５０】
現在日時と曜日を取得する現在日時取得部をさらに備え、
前記スイッチ装置は、前記スイッチ操作部がＯＮ側に位置する場合に、前記現在日時取得部によって取得した現在日時と曜日が所定の条件の日時や曜日となった場合に、前記第１の電気接点をＯＮからＯＦＦに変更するとともに前記スイッチ操作部をＯＮ側からＯＦＦ側へ変更することを特徴とする請求項２５〜４５のいずれか一つに記載のスイッチ装置システム。
【請求項５１】
所定の時刻または所定の条件の日時や曜日の設定は、プログラマブルに任意に設定可能であることを特徴とする請求項４９または５０に記載のスイッチ装置システム。
【請求項５２】
前記スイッチ装置またはスイッチ装置システムを備えたスイッチ装置機器が操作されていない時間または前記スイッチ装置機器が動作していない時間を認識する認識部をさらに備え、
前記スイッチ装置は、前記スイッチ操作部がＯＮ側に位置する場合に、前記認識部によって認識した、前記スイッチ装置システムが操作されていない時間または前記スイッチ装置システムが動作していない時間が所定の時間以上となった場合に、前記第１の電気接点をＯＮからＯＦＦに変更するとともに前記スイッチ操作部をＯＮ側からＯＦＦ側へ変更することを特徴とする請求項２５〜４５のいずれか一つに記載のスイッチ装置システム。
【請求項５３】
前記スイッチ装置またはスイッチ装置システムを備えたスイッチ装置機器の操作または前記スイッチ装置機器の動作を検知する動作検知部と、
一定時間内における前記スイッチ装置機器の操作または前記スイッチ装置機器の動作の頻度を判断する判断部と、をさらに備え、
前記スイッチ装置は、前記スイッチ操作部がＯＮ側に位置する場合に、前記判断部によって判断した前記頻度が所定の頻度以下となった場合に、前記第１の電気接点をＯＮからＯＦＦに変更するとともに前記スイッチ操作部をＯＮ側からＯＦＦ側へ変更することを特徴とする請求項２５〜４５のいずれか一つに記載のスイッチ装置システム。
【請求項５４】
請求項１〜２４のいずれか一つに記載のスイッチ装置を備えた画像形成装置。
【請求項５５】
請求項２５〜５３のいずれか一つに記載のスイッチ装置システムを備えた画像形成装置。
【請求項５６】
請求項１〜２４のいずれか一つに記載のスイッチ装置を備えた電気機器。
【請求項５７】
請求項２５〜５３のいずれか一つに記載のスイッチ装置システムを備えた電気機器。
【請求項５８】
請求項１〜２４のいずれか一つに記載のスイッチ装置を備えた医療機器。
【請求項５９】
請求項２５〜５３のいずれか一つに記載のスイッチ装置システムを備えた医療機器。
【請求項６０】
請求項１〜２４のいずれか一つに記載のスイッチ装置を備えた工作機械。
【請求項６１】
請求項２５〜５３のいずれか一つに記載のスイッチ装置システムを備えた工作機械。
【請求項６２】
請求項１〜２４のいずれか一つに記載のスイッチ装置を備えた自動車。
【請求項６３】
請求項２５〜５３のいずれか一つに記載のスイッチ装置システムを備えた自動車。
【請求項６４】
請求項１〜２４のいずれか一つに記載のスイッチ装置を備えた輸送機器。
【請求項６５】
請求項２５〜５３のいずれか一つに記載のスイッチ装置システムを備えた輸送機器。
【発明の詳細な説明】
【技術分野】
【０００１】
本発明は、電気信号を通電／遮断したり、電源を通電／遮断するスイッチ装置、スイッチ装置を備えたスイッチ装置システム、およびスイッチ装置またはスイッチ装置システムを備えたスイッチ装置機器に関する技術である。更に詳細には、スイッチのＯＮ操作に対しては同時にスイッチ接点が閉じてＯＮ状態になるが、スイッチのＯＦＦ操作に対しては同時にスイッチ接点が開いてＯＦＦ状態にならないと共に、スイッチのＯＮ／ＯＦＦの操作状態を認識でき、スイッチ外部のユニットに情報伝達可能なスイッチ装置、そのスイッチ装置を備えたスイッチ装置システム、およびスイッチ装置またはスイッチ装置システムを備えたスイッチ装置機器に関する技術である。また、スイッチ接点のＯＦＦは、スイッチのＯＮ／ＯＦＦの操作状態を認識したスイッチ外のユニットから接点のＯＦＦに対する準備が完了した信号を受けた後にスイッチ接点が開いてＯＦＦ状態にする。また、更にスイッチの操作状態およびスイッチ接点がＯＮ状態の場合に、スイッチ外のユニットからの信号によって、スイッチの操作状態およびスイッチ接点を同時にＯＦＦ状態に変更可能なスイッチ装置、スイッチ装置を備えたスイッチ装置システム、およびスイッチ装置またはスイッチ装置システムを備えたスイッチ装置機器に関する技術である。
【背景技術】
【０００２】
ＡＣ電源の通電／遮断を行う従来技術として、例えば、以下のような技術が挙げられる。第１の従来技術は、電源スイッチのＯＮ／ＯＦＦ操作によって、ＡＣ接点が閉／開されてＡＣ電源の通電／遮断を行うものである。第２の従来技術は、例えば、プロジェクタ装置等において、メインスイッチを備えず、押しボタンスイッチで機器を立上げたり、押しボタンスイッチで使用後の機器のＯＦＦ準備をするものであり、ＯＦＦ準備完了後にＡＣプラグをコンセントから抜く。
【０００３】
一般的には、これら第１の従来技術や第２の従来技術が主流であるが、例えば、第１の従来技術では、突然電源スイッチをＯＮ→ＯＦＦ操作した場合、ＨＤＤ動作中やＤＣ電源の冷却中や加熱部の冷却中等で、機器のＯＦＦ準備ができていないタイミングでＡＣ電源供給が停止すると、機器を破壊してしまうという問題がある。
【０００４】
また、第２の従来技術では、第１の従来技術と同様に、機器のＯＦＦ準備は確実にできるが、ＡＣプラグがコンセントにささっている限り、押しボタンスイッチ検知用の電力消費を始めＯＮ準備のためのＡＣ電力を常に消費することとなり、省エネルギー化を図れず、また使用者にとって使いにくいという問題がある。
【０００５】
このような問題を解決するため、第３の従来技術では、トイレの換気扇スイッチの動作をＡＣ電源の通電／遮断に採用し、同時に別スイッチや検知手段で、スイッチ操作のＯＮ／ＯＦＦ状態を検知して、ＯＦＦ検知した場合は、速やかに機器のＯＦＦ準備処理を実行して、その後に換気扇スイッチのゼンマイ仕掛けのタイマーによるＡＣ電源の遮断に備える。
【０００６】
この第３の従来技術では、ＡＣ電源の遮断に対しては確実に機器のＯＦＦ準備処理が完了できる点や無駄な電力を消費しない点は優れているが、機械的構造が多少複雑であることや製造コストが高くなるという問題がある。さらには、機器のＯＦＦ準備が短時間で完了した場合でもＡＣ電源の遮断までは所定の時間を要するため、若干の無駄な電力消費が生じる場合がある。
【０００７】
このような問題を解決するため、第４の従来技術では、電源スイッチのＡＣ接点と並列にリレー接点を設け、スイッチユニットとして、スイッチとリレーとを組み合わせて、電子的なタイマ手段を備えた方式である。この第４の従来技術によれば、第３の従来技術の問題は改善できるが、スイッチユニットが現状の電源スイッチの数倍の大きさになってしまう点やＡＣ接点回路が２倍必要な点や、電源スイッチＯＮ中はリレーの励磁電流を常に流すと共にタイマ動作用の無駄電力消費も常に生じるという問題がある。また、機器のＯＦＦ準備が短時間で完了した場合でもＡＣ電源の遮断までは所定の時間がかかるので、若干の無駄な電力消費が生じる問題は依然解決されない。
【０００８】
このため、第５の従来技術では、上記第４の従来技術におけるスイッチ部とリレー部を別個に分離して、スイッチ部に更にスイッチ操作のＯＮ／ＯＦＦ状態を検知できる別スイッチや検知手段を備え、また、タイマを搭載せず、ＯＦＦ検知した後に機器のＯＦＦ準備処理を完了してから、リレーの励磁電源をＯＦＦ制御する方式を採用している。
【０００９】
この第５の従来技術では、スイッチ操作のＯＦＦ状態を検知した場合、機器のＯＦＦ準備処理を確実に実行、完了して、完了直後にＡＣ電源の遮断を実行できるという確実性がある点で優れている。しかしながら、この第５の従来技術では、ＡＣ接点回路が２倍必要な点や、電源スイッチのＯＮ中はリレーの励磁電流を常に流して無駄な電力消費が生じるという問題は解決できていない。また、別スイッチや検知手段によるスペースが増加するという問題もある。
【発明の概要】
【発明が解決しようとする課題】
【００１０】
本発明は、上記に鑑みてなされたものであって、（１）電源スイッチの突然のＯＦＦに対しても機器を安全に停止させることができ、（２）機器を使用しない時は電源スイッチによってＡＣ電源の遮断が可能であり、（３）機器の動作中の無駄電力が少なく、（４）機器のＯＦＦモード中の無駄電力が少なく、（５）スイッチや必要部品の所要スペースを極力小さくすることができ、（６）さらなる低コストで製造することができるスイッチ装置、スイッチ装置システム、およびスイッチ装置またはスイッチ装置システムを備えたスイッチ装置機器を提供することを目的とする。
【００１１】
また、本発明は、上記の課題解決と共に、従来のリセット機能付きスイッチ（例えば、パナソニック電工（Ｒ）製のＡＪ８Ｒシリーズ、ヒロセ電機（Ｒ）製のＲＳ３シリーズ，オムロン株式会社（Ｒ）製のＡ８Ｇシリーズ等）のように、スイッチの操作状態およびスイッチ接点がＯＮ状態の場合に、スイッチ外のユニットからの信号によって、スイッチの操作状態およびスイッチ接点を一緒にＯＦＦ状態に変更可能なスイッチを提供することも目的とする。
【課題を解決するための手段】
【００１２】
上述した課題を解決し、目的を達成するために、本発明にかかるスイッチ装置は、ＯＮまたはＯＦＦ操作されるスイッチ操作部と、前記スイッチ操作部がＯＮ側にあるか、ＯＦＦ側にあるかを検知する検知部と、前記スイッチ操作部をＯＦＦからＯＮに操作するのと同時に、１回路以上の第１の電気接点をＯＮ状態に形成する第１機構と、を備え、前記スイッチ操作部を、ＯＮからＯＦＦに操作すると、前記スイッチ操作部はＯＦＦ側になる一方、１回路以上の前記第１の電気接点はＯＮ状態を維持し、前記第１の電気接点のＯＮからＯＦＦへの変更は、電気信号のＯＦＦ→ＯＮ→ＯＦＦによって行う第２機構と、を備えたことを特徴とする。
【００１３】
また、本発明にかかるスイッチ装置は、ＯＮまたはＯＦＦ操作されるスイッチ操作部と、前記スイッチ操作部がＯＮ側にあるか、ＯＦＦ側にあるかを検知する検知部と、前記スイッチ操作部をＯＦＦからＯＮに操作するのと同時に、１回路以上の第１の電気接点をＯＮ状態に形成する第１機構と、前記スイッチ操作部を、ＯＮからＯＦＦに操作すると、前記スイッチ操作部はＯＦＦ側になる一方、１回路以上の前記第１の電気接点はＯＮ状態を維持し、１回路以上の前記第１の電気接点はＯＮ状態での前記第１の電気接点のＯＮからＯＦＦへの移行は、前記スイッチ装置に入力される電気信号のＯＦＦ→ＯＮ→ＯＦＦによって行う第２機構と、前記スイッチ操作部がＯＮ側に位置し、かつ前記第１の電気接点がＯＮ状態の場合に、前記スイッチ装置に入力される電気信号のＯＦＦ→ＯＮ→ＯＦＦによって、前記第１の電気接点をＯＮからＯＦＦに変更するとともに、前記スイッチ操作部をＯＮ側からＯＦＦ側へ変更する第３機構とを備えたことを特徴とする。
【発明の効果】
【００１４】
本発明によれば、電源スイッチの突然のＯＦＦに対しても機器を安全に停止させることができ、機器を使用しない時は電源スイッチによってＡＣ電源の遮断が可能であり、機器の動作中の無駄な電力が少なく、機器のＯＦＦモード中の無駄電力が少なく、スイッチや必要部品の所要スペースを極力小さくすることができ、さらなる低コストで製造することができるという効果を奏する。
【図面の簡単な説明】
【００１５】
【図１】図１は、実施の形態１のスイッチ装置のスイッチ本体部の機械的構造を示す模式図である。
【図２】図２は、実施の形態１のスイッチ装置において第１の電気接点を閉状態（接点ＯＮ）から開状態（接点ＯＦＦ）にする機構の構造を示す模式図である。
【図３】図３は、実施の形態１のスイッチの接点の動作や信号の流れを説明する回路構成図である。
【図４】図４は、実施の形態１のコントローラによる制御処理の手順を示すフローチャートである。
【図５】図５は、実施の形態１の変形例１のスイッチの接点の動作や信号の流れを説明する回路構成図である。
【図６】図６は、実施の形態１の変形例２のスイッチの接点の動作や信号の流れを説明する回路構成図である。
【図７】図７は、実施の形態１の変形例２のコントローラによる制御処理の手順を示すフローチャートである。
【図８−１】図８−１は、実施の形態１の変形例３のスイッチの接点の動作や信号の流れを説明する回路構成図である。
【図８−２】図８−２は、実施の形態１の変形例３のスイッチの他の例を示す回路構成図である。
【図９】図９は、実施の形態２のスイッチ装置において第１の電気接点を閉状態（接点ＯＮ）から開状態（接点ＯＦＦ）にする機構の構造を示す模式図である。
【図１０】図１０は、実施の形態２のスイッチの接点の動作や信号の流れを説明する回路構成図である。
【図１１】図１１は、実施の形態２のコントローラによる制御処理の手順を示すフローチャートである。
【図１２】図１２は、従来技術例１のスイッチの接点の動作や信号の流れを説明する回路構成図である。
【図１３】図１３は、従来技術例２のスイッチの接点の動作や信号の流れを説明する回路構成図である。
【図１４】図１４は、従来技術例３のスイッチの接点の動作や信号の流れを説明する回路構成図である。
【図１５】図１５は、従来技術例４のスイッチの接点の動作や信号の流れを説明する回路構成図である。
【図１６】図１６は、従来技術例５のスイッチの接点の動作や信号の流れを説明する回路構成図である。
【図１７】図１７は、従来技術例５におけるコントローラによる制御処理の手順を示すフローチャートである。
【図１８】図１８は、従来技術例５においてスイッチの突然遮断を並列リレー回路で回避する方式の制御タイミングを示すタイミングチャートである。
【図１９】図１９は、ヒロセ電機（Ｒ）製のリセットスイッチ：ＲＳ３シリーズの外観図と内部構造図である。
【図２０】図２０は、実施の形態３のスイッチの接点の動作や信号の流れを説明する回路構成図である。
【図２１】図２１は、実施の形態３のコントローラによる制御処理の手順を示すフローチャートである。
【図２２】図２２は、実施の形態３の変形例のスイッチの接点の動作や信号の流れを説明する回路構成図である。
【図２３】図２３は、実施の形態４のスイッチの接点の動作や信号の流れを説明する回路構成図である。
【図２４】図２４は、実施の形態４のコントローラによる制御処理の手順を示すフローチャートである。
【発明を実施するための形態】
【００１６】
以下に添付図面を参照して、この発明にかかるスイッチ装置およびスイッチ装置を備えた機器の実施の形態を詳細に説明する。なお、言うまでも無いが、以下の実施の形態は本発明の一例を説明するものであって、本発明の範囲を逸脱しないで当業者が各種の変更や変形や改善を加えることは可能であり、本発明は、以下の実施の形態に限定されるものではない。
【００１７】
（実施の形態１）
図１は、実施の形態１のスイッチ装置のスイッチ本体部１０の機械的構造を示す模式図である。図１では、スイッチ操作部１がＯＮとなった状態を示している。
【００１８】
図１に示すように、本実施の形態のスイッチ本体部１０は、スイッチ操作部１と、第１のスイッチ接点レバ２１、２２と、第２のスイッチ接点レバ３とを主に備えている。また、本実施の形態のスイッチ本体部１０は、第１の電気接点として、第１のスイッチ接点レバ２１に対応した第１のスイッチの接点レバ側接点２１ｃと第１のスイッチの端子側接点２１ｄ、および第１のスイッチ接点レバ２２に対応する第１のスイッチの接点レバ側接点（図示省略）と第１のスイッチの端子側接点（図示省略）をスイッチ操作部１の下部１ｂの下方に備えている。
【００１９】
また、本実施の形態のスイッチ本体部１０は、第２の電気接点として、第２のスイッチ接点レバ３に対応した第２のスイッチの接点レバ側接点（図示省略）と第２のスイッチの端子側接点（図示省略）をスイッチ操作部１の下部１ｂの下方に備えている。
【００２０】
実施の形態１のスイッチ装置は、第１の電気接点が、スイッチ操作部１がＯＮ状態の場合では、常に閉状態（接点ＯＮ）となるが、スイッチ操作部１のＯＮ→ＯＦＦ操作では、第１の電気接点が閉→開状態（接点ＯＦＦ）せず、第２の電気接点は、スイッチ操作部１がＯＮ状態の場合では、常に閉状態（接点ＯＮ）となるとともに、スイッチ操作部１がＯＦＦ状態の場合では、常に第２の電気接点が開状態（接点ＯＦＦ）となるものである。ここで、第２の電気接点は、一般的なスイッチ装置（スイッチ操作部のＯＮ／ＯＦＦ操作に同期して電気接点の閉状態（接点ＯＮ）／開状態（接点ＯＦＦ）が変化する機構）と同様である。
【００２１】
スイッチ操作部１は、その下部１ｂと一体型の構造となっており、ＯＮ／ＯＦＦの動作を、支点１ａを中心軸として利用者に押下されることにより回動可能となっている。
【００２２】
スイッチ操作部１の下部１ｂは、図１に示すように、第１のスイッチの接点レバ側接点２１ｃと反対側の部分において、第１のスイッチ接点レバ２１、２２に対向する部分を切り欠いている。このため、スイッチ操作部１の下部１ｂの下面は第１のスイッチ接点レバ２１，２２の上面に当接不能となっている。一方、スイッチ操作部１の下部１ｂは、図１に示すように、第２のスイッチの接点レバ側接点と反対側の部分で第２のスイッチ接点レバ３に対向する部分はこのような切り欠き部を備えていない。このため、スイッチ操作部１の下部１ｂの下面は第２のスイッチ接点レバ３の上面に当接可能であり、後述するように、スイッチ操作部１をＯＦＦに押下した状態で、スイッチ操作部１の下部１ｂの下面は、第２のスイッチ接点レバ３のみを押下し、第１のスイッチ接点レバ２１，２２を押下しない構造となっている。
【００２３】
スイッチ操作部１がＯＮ側の状態では、スイッチ操作部１の下部１ｂ全体は、第１のスイッチ接点レバ２１と第１のスイッチ接点レバ２２と第２のスイッチ接点レバ３と接していて、このＯＮ状態で、第１のスイッチ接点レバ２１に対応した第１のスイッチの接点レバ側接点２１ｃと第１のスイッチの端子側接点２１ｄ同士、および、第１のスイッチ接点レバ２２に対応する第１のスイッチの接点レバ側接点（図示省略）と第１のスイッチの端子側接点（図示省略）同士、さらに、第２のスイッチ接点レバ３に対応した第２のスイッチの接点レバ側接点（図示省略）と第２のスイッチの端子側接点（図示省略）同士が接触状態を維持する。これにより、３つの第１のスイッチ接点レバ２１、２２、および第２のスイッチ接点レバ３のそれぞれに対応した３つの電気接点が閉状態（接点ＯＮ状態）となり、回路電流が流れる。
【００２４】
第１のスイッチ接点レバ２１に対応したスイッチ接点回路について具体的に説明すると、第１のスイッチの接点レバ動作時常時接触導体側の端子２１ｅと、第１のスイッチの接点レバ動作時常時接触導体２１ｂと、第１のスイッチの接点レバ導体２１ａと、第１のスイッチの接点レバ側接点２１ｃと、第１のスイッチの端子側接点２１ｄと、第１のスイッチのＯＮ−ＯＦＦ接点側の端子２１ｆが電気的に導通することにより、回路電流が流れる。第１のスイッチ接点レバ２２，および第２のスイッチ接点レバ３に対応した２つのスイッチ接点回路についても同様（図示省略）である。
【００２５】
一方、スイッチ操作部１がＯＮ側→ＯＦＦ側に押下されると、スイッチ操作部１の下部１ｂは奥側の第２のスイッチ接点レバ３の全面とは接しているので、スイッチ操作部１のＯＮからＯＦＦへの操作とともに、第２のスイッチ接点レバ３も回動して、第２のスイッチ接点レバ３に対応した第２のスイッチの接点レバ側接点（図示省略）と第２のスイッチの端子側接点（図示省略）同士の接触状態を解除され、開状態（接点ＯＦＦ）となる。
【００２６】
また、スイッチ操作部１の下部１ｂの第１のスイッチ接点レバ２１および第１のスイッチ接点レバ２２側は切り欠き部を有しているので、スイッチ操作部１をＯＦＦ状態に押下されても、スイッチ操作部１の下部１ｂは、第１のスイッチ接点レバ２１と第１のスイッチ接点レバ２２とに接することはなく、第１のスイッチ接点レバ２１と第１のスイッチ接点レバ２２は押し下げられない。このため、この状態では、第１のスイッチ接点レバ２１に対応する第１のスイッチの接点レバ側接点２１ｃと第１のスイッチの端子側接点２１ｄ同士、および第１のスイッチ接点レバ２２に対応する第１のスイッチの接点レバ側接点（図示省略）と第１のスイッチの端子側接点（図示省略）同士は接触状態、すなわち閉状態（接点ＯＮ）を維持する。
【００２７】
このようなスイッチ機構とすることで、第２のスイッチ接点レバ３に対応した第２のスイッチの接点レバ側接点（図示省略）と第２のスイッチの端子側接点（図示省略）同士の接触状態をスイッチ内部あるいはスイッチ外部で検知すれば、スイッチ操作部１がＯＮ側かＯＦＦ側のどちらに操作されているか検知することができる。
【００２８】
また、本実施の形態では、スイッチ操作部１がＯＮ側かＯＦＦ側のどちらに操作されているか検知する手段として、第２のスイッチの接点レバ側接点（図示省略）と第２のスイッチの端子側接点（図示省略）同士の接触状態の検知としているが、これに限定されるものではない。例えば、スイッチ操作部１と連動して稼働するフォトインタラプタの受光状態を変化させる遮光板を設けて検知するように構成することができる。
【００２９】
また、第２のスイッチの接点レバ側接点と第２のスイッチの端子側接点からなる第２の電気接点は、スイッチ操作部１のＯＮ／ＯＦＦ操作に同期して電気接点が開（ＯＦＦ）／閉（ＯＮ）するように構成し、第１のスイッチの接点レバ側接点２１ｃと第１のスイッチの端子側接点２１ｄからなる第１の電気接点を、スイッチ操作部１のＯＮからＯＦＦ操作に同期せずに電気接点が閉状態に維持するように構成してもよい。
【００３０】
次に、スイッチ操作部１がＯＮからＯＦＦに操作された際に、第１の電気接点を閉状態（接点ＯＮ）から開状態（接点ＯＦＦ）にする機構について説明する。
【００３１】
図２は、実施の形態１のスイッチ装置において第１の電気接点を閉状態（接点ＯＮ）から開状態（接点ＯＦＦ）にする機構の構造を示す模式図である。図２では、第１のスイッチ接点レバ２１と第１のスイッチ接点レバ２２の下方部分のみを示している。また、図２では、スイッチ操作部１をＯＦＦ操作した場合で、スイッチ接点レバＯＮ→ＯＦＦ可動用電磁石コイル４ｂに電流を流していない状態を示している。
【００３２】
スイッチ操作部１がＯＮからＯＦＦに操作された場合は、上述したとおり、第２の電気接点（第２のスイッチの接点レバ側接点と第２のスイッチの端子側接点）は開状態となるが、第１の電気接点（第１のスイッチの接点レバ側接点２１ｃと第１のスイッチの端子側接点２１ｄ、および第１のスイッチ接点レバ２２に対応する第１のスイッチの接点レバ側接点（図示省略）と第１のスイッチの端子側接点（図示省略））は、接触状態を維持し、閉状態（接点ＯＮ）となっている。
【００３３】
図１で示したスイッチ本体部１０には、図２に示すように、スイッチ接点レバＯＮ→ＯＦＦ可動用鉄板（磁性体）２９が、第１のスイッチ接点レバ２１と第１のスイッチ接点レバ２２の下部に接合されている。これにより、第１のスイッチ接点レバ２１と第１のスイッチ接点レバ２２は連動して動作する。
【００３４】
また、図２に示すように、図１で示したスイッチ本体部１０には、スイッチ接点レバＯＮ→ＯＦＦ可動用鉄心４ａがスイッチ接点レバＯＮ→ＯＦＦ可動用電磁石コイル４ｂを巻回した状態で、スイッチ接点レバＯＮ→ＯＦＦ可動用鉄板（磁性体）２９と対峙して配置されている。ここで、スイッチ接点レバＯＮ→ＯＦＦ可動用鉄心４ａとスイッチ接点レバＯＮ→ＯＦＦ可動用電磁石コイル４ｂとは電磁石を構成し、後述する回路構成によって電流をスイッチ接点レバＯＮ→ＯＦＦ可動用電磁石コイル４ｂに流すと、スイッチ接点レバＯＮ→ＯＦＦ可動用鉄心４ａが磁化する。従って、スイッチ接点レバＯＮ→ＯＦＦ可動用電磁石コイル４ｂに電流を流すことによって、スイッチ接点レバＯＮ→ＯＦＦ可動用鉄心４ａとスイッチ接点レバＯＮ→ＯＦＦ可動用鉄板（磁性体）２９の間に電磁吸引力が作用し、第１のスイッチ接点レバ２１と第１のスイッチ接点レバ２２の図２における右側部分を引き下げる。これにより、第１の電気接点、すなわち、第１のスイッチの接点レバ側接点２１ｃと第１のスイッチの端子側接点２１ｄ、および第１のスイッチ接点レバ２２に対応する第１のスイッチの接点レバ側接点（図示省略）と第１のスイッチの端子側接点（図示省略）の接触状態は解除されて開状態（接点ＯＦＦ）となる。ここで、スイッチ接点レバＯＮ→ＯＦＦ可動用電磁石コイル４ｂに流す電流は、直流、交流のいずれでも良い。
【００３５】
なお、上記の説明では、スイッチ操作部１がＯＦＦ側に操作されている場合について説明したが、スイッチ操作部１がＯＮ側に操作されている場合については、スイッチ接点レバＯＮ→ＯＦＦ可動用電磁石コイル４ｂに電流を流した場合は、第１の電気接点の接触状態が解除されると共に、第１のスイッチ接点レバ２１と第１のスイッチ接点レバ２２の図２における左側部分を引き上げる力でスイッチ操作部１をＯＮ側からＯＦＦ側に変更できるようにしても良い。
【００３６】
また、上記のスイッチ構造として、第１のスイッチ接点レバ２１がＯＮ側やＯＦＦ側のどちらに可動しても第１のスイッチの接点レバ導体２１ａと第１のスイッチの接点レバ動作時常時接触導体２１ｂは常に接触している。第１のスイッチ接点レバ２２や第２のスイッチ接点レバ３についても同様である。
【００３７】
このようなスイッチ構成とすれば、いつスイッチ操作部１がＯＮ→ＯＦＦされてもスイッチ内部の第１のスイッチ接点はＯＮのままであるので、第１の電気接点が突然遮断されることが無い。従って、スイッチのＯＦＦ状態を検知してから、機械を安全に停止させたり、途中の動作を完了することができる。また、従来技術のように、リレー接点を励磁電流でＯＮに維持することも必要ないので、無駄な電力消費も生じない。このため、機械の動作中やＯＦＦモード中でも第１のスイッチ接点回路維持のエネルギーは不要である。なぜなら、接点のＯＮは、スイッチ操作部１のＯＦＦ→ＯＮの操作で、第１の電気接点の接触維持が完了しているからである。
【００３８】
第１の電気接点の接点ＯＦＦは、第２の電気接点で、スイッチ操作部１のＯＮ→ＯＦＦを検知したら、シャットダウン前処理を実行した後に第１の電気接点を電磁石（後述する実施の形態２ではバイメタル等）でＯＦＦにすることができる。シャットダウン前処理とは、各種機器でＡＣ入力電圧供給を遮断される前に各種機器を安全停止させるための処理である。従って、機器を使用しない場合は、第１の電気接点を接点ＯＦＦにして無駄な消費電力を低減するとともに電源遮断が可能である。
【００３９】
また、従来技術のように、スイッチと並列なリレー回路は不要である。第１の電気接点そのものがスイッチ機能と従来技術のリレーの機能を同時に担っている。したがって、小型化やコスト的に有利なスイッチ装置や該スイッチ装置を備えた機器が実現できる。
【００４０】
次に、電磁石に通電して第１の電気接点を開状態にするための回路構成について説明する。図３は、実施の形態１のスイッチの接点の動作や信号の流れを説明する回路構成図である。
【００４１】
本実施の形態の回路構成は、図３に示すように、５ＶＥ電源３０１と、コントローラ３０２と複合メインスイッチ３０３とを主に備えている。
【００４２】
５ＶＥ電源３０１は、ＤＣ低圧の制御用電源であり、制御部が動作している時は常にＤＣ５Ｖ等の出力電圧を供給することが求められる電源である。複合メインスイッチ３０３は、ＡＣＳＤ（ＡＣシャットダウン）スイッチ３０４と電磁石と信号スイッチ（４）とを備えている。図３において、電磁石はスイッチ接点レバＯＮ→ＯＦＦ可動用電磁石コイル４ｂのみを図示している。
【００４３】
信号スイッチ（４）は、第２の電気接点としての第２のスイッチの接点レバ側接点と第２のスイッチの端子側接点（ともに図示省略）に相当する。従って、信号スイッチ（４）は、上述したとおり、スイッチ操作部１のＯＮ操作に対して連動して閉状態（接点ＯＮ）になるとともに、スイッチ操作部１のＯＦＦ操作に対して連動して開状態（接点ＯＦＦ）となる。コントローラ３０２は、この信号スイッチ（４）のＯＮ／ＯＦＦ状態を検知することにより、スイッチ操作部１がＯＮ側かＯＦＦ側のどちらに操作されているかを検知することができる。また、コントローラ３０２は制御部であるので動作中は常にＤＣ５Ｖ等の出力電圧を供給することが求められる。
【００４４】
ＡＣＳＤスイッチ３０４は、スイッチ回路（１），（２）を備えている。ここで、スイッチ回路（１）、（２）は、それぞれ第１の電気接点としての第１のスイッチの接点レバ側接点２１ｃと第１のスイッチの端子側接点２１ｄ、および図１に示される第１のスイッチ接点レバ２２に対応する第１のスイッチの接点レバ側接点（図示省略）と第１のスイッチの端子側接点（図示省略）に相当する。
【００４５】
スイッチ操作部１がＯＮ操作されるとこのスイッチ回路（１）、（２）がＯＮ状態、すなわち閉状態となり、これにより商用電源ＡＣ入力３０６からＡＣ電力が５ＶＥ電源（ＤＣ低圧の制御用電源）３０１に供給される。一方、スイッチ操作部１がＯＦＦ操作された場合には、突然のＡＣ電力遮断を回避するため、上述した機構により、第１の電気接点としてのスイッチ回路（１）、（２）の接点は直ちに開状態とならない。
【００４６】
図３において、２点鎖線矢印は、スイッチ操作部１の動作に対して電気接点が連動して動作するＯＮ／ＯＦＦ状態を示す。従って、スイッチ回路（１）、（２）は、同回路らが開状態（接点ＯＦＦ）でのスイッチ操作部１のＯＮに対してのみ連動して閉状態（接点ＯＮ）となる。（一度閉状態（接点ＯＮ）となったスイッチ回路（１）、（２）はその後のスイッチ操作部１のＯＮ／ＯＦＦ操作に対して、接点状態は閉状態（接点ＯＮ）を維持する。）スイッチ回路（１）、（２）を開状態（接点ＯＦＦ）とするには、スイッチ接点レバＯＮ→ＯＦＦ可動用電磁石コイル４ｂに電流を流すこと（説明後術）で可能である。
【００４７】
図３における点線の矢印は、一瞬の電磁石の力によるスイッチ接点をＯＮからＯＦＦにすることができることを示している。スイッチ回路（１）、（２）の接点が相当する。すなわち、スイッチ接点レバＯＮ→ＯＦＦ可動用電磁石コイル４ｂが通電されると、スイッチ回路（１）、（２）が開状態となる。
【００４８】
コントローラ３０２は、５ＶＥ電源３０１に接続されている。コントローラ３０２は、信号スイッチ（４）の開／閉状態を検知している。コントローラ３０２は、信号スイッチ（４）の開状態を検知した場合、速やかにシャットダウン前処理を実行する。ここで、シャットダウン前処理としては、画像形成装置では、ハードディスクドライブ装置（ＨＤＤ）の途中処理の完了や読み書き停止や画像形成作業の完了や冷却ファンの一定時間回転や各種可動物のホームポジション停止などが該当する。また、電気機器や工作機械や医療機器や自動車や輸送機器等の場合には、シャットダウン前処理としては、データの記録処理や仕掛かりジョブの完了や安全停止処理等が該当する。
【００４９】
コントローラ３０２は、シャットダウン前処理の実行を完了したら、電磁石に対して電磁石ＯＮ信号を出力して、電磁石のスイッチ接点レバＯＮ→ＯＦＦ可動用電磁石コイル４ｂに電流を流して電磁石をＯＮにする。これにより、第１の電気接点としてのスイッチ回路（１）、（２）の接点が開状態となり、接点ＯＦＦとなる。
【００５０】
ここで、電磁石ＯＮ信号は、電磁石を通電してＯＮにすることにより第１の電気接点を開状態（接点ＯＦＦ）にするための電気信号であり、電磁石に通電する通電電流そのものを電磁石ＯＮ信号として用いる他、電磁石の電流をＯＦＦ→ＯＮに切り替えるための制御信号を電磁石ＯＮ信号として構成すること(例えば後述する図５の実施の形態１の変形例１)ができるが、これらに限定されるものではない。
【００５１】
ここで、コントローラ３０２の電磁石のＯＮ制御は、例えば０．１秒等の一瞬で十分である。このため、電磁石のＯＮ制御の動作で消費されるエネルギーは極めて微小で済む。ここで、コントローラ３０２による電磁石のＯＮ制御を短時間にすることは好ましいが、本実施の形態の場合、電磁石のＯＮ制御を継続しても、スイッチ回路（１）、（２）の接点を開状態にすると、ＡＣ入力３０６から５ＶＥ電源３０１への電力供給が停止するので、コントローラ３０２による電磁石に対する通電のエネルギーも自動的に消滅する。どちらの構成の場合でも、コントローラ３０２は、スイッチ操作部１がＯＦＦ操作されたことを検知して、シャットダウン（ＡＣスイッチ接点開放）のシーケンスを決定することができる。
【００５２】
次に、スイッチ操作部１がＯＮ側からＯＦＦ側に操作された場合において、このようなコントローラ３０２による第１の電気接点の接点ＯＮ（閉状態）から接点ＯＦＦ（開状態）への制御について詳細に説明する。図４は、実施の形態１のコントローラ３０２による制御処理の手順を示すフローチャートである。ここで、図４に示す制御処理は、コントローラ制御のメインルーチンの中で毎回実行されるように構成する他、例えば２０ｍｓ毎等の一定時間毎に実行するように構成することができる。
【００５３】
まず、コントローラ３０２は、第２の電気接点、すなわち信号スイッチ（４）の開閉状態を検知することにより、スイッチ操作部１がＯＮ側／ＯＦＦ側のいずれの位置にあるかを検知する（ステップＳ１１）。ここで、コントローラ３０２側でＧＮＤ以外の電圧に入力信号を抵抗を介してプルアップやプルダウンすることにより信号スイッチ（４）の開閉検知を行うことができる。具体的には、コントローラ３０２は、信号スイッチ（４）が閉状態であることを検知した場合には、スイッチ操作部１はＯＮ側に位置していると検知し、信号スイッチ（４）が開状態であることを検知した場合には、スイッチ操作部１はＯＦＦ側に位置していることを検知する。
【００５４】
そして、スイッチ操作部１がＯＮ側に位置している場合は（ステップＳ１１：ＯＮ）、コントローラ３０２は次回の処理まで待機する。一方、スイッチ操作部１がＯＦＦ側に位置している場合は（ステップＳ１１：ＯＦＦ）、コントローラ３０２は、シャットダウン前処理が完了しているか否か、あるいはシャットダウン前処理が不要か否かを判断する（ステップＳ１２）。
【００５５】
そして、シャットダウン前処理が完了していないあるいはシャットダウン前処理が必要と判断した場合（ステップＳ１２：Ｎｏ）、コントローラ３０２はシャットダウン前処理を開始済みか否かを判断する（ステップＳ１３）。そして、コントローラ３０２は、シャットダウン前処理を開始済みである場合には（ステップＳ１３：Ｙｅｓ）、シャットダウン前処理を継続し（ステップＳ１４）、次回の処理まで待機する。一方、コントローラ３０２は、シャットダウン前処理を開始済みでない場合には（ステップＳ１３：Ｎｏ）、シャットダウン前処理を開始し（ステップＳ１５）、次回の処理まで待機する。このような処理を行うのは、直ちに、第１の電気接点を開状態にすると突然のＡＣ電力遮断となって問題になるためである。
【００５６】
ステップＳ１２において、コントローラ３０２は、シャットダウン前処理が完了している、あるいはシャットダウン前処理が不要と判断した場合には（ステップＳ１２：Ｙｅｓ）、直ちに第１の電気接点を開状態にしても問題にならないため、第１の電気接点であるスイッチ回路（１）、（２）を開状態するための電磁石ＯＮ信号を出力済みか否か判断する（ステップＳ１６）。そして、コントローラ３０２は、電磁石ＯＮ信号を出力済みでない場合には（ステップＳ１６：Ｎｏ）、電磁石ＯＮ信号（電磁石に通電する通電電流や、電磁石の電流をＯＦＦ→ＯＮに切り替えるための制御信号等）を出力し（ステップＳ１７）、次回の処理まで待機する。これにより、電磁石のスイッチ接点レバＯＮ→ＯＦＦ可動用電磁石コイル４ｂに電流が流れ、電磁石がＯＮになる。
【００５７】
ステップＳ１６において、コントローラ３０２は、電磁石ＯＮ信号を出力済みの場合（ステップＳ１６：Ｙｅｓ）、ステップＳ１７における電磁石ＯＮ信号の出力から一定時間が経過したかどうかを確認する（ステップＳ１８）。そして、一定時間の経過が確認できない場合には（ステップＳ１８：Ｎｏ）、次回の処理まで待機する。一方、ステップＳ１８において、一定時間の経過が確認できた場合は（ステップＳ１８：Ｙｅｓ）、電磁力によって、第１の電気接点であるスイッチ回路（１）、（２）が開状態となり、接点ＯＦＦとなっているので、電磁石ＯＦＦ信号を出力して（ステップＳ１９）、次回の処理まで待機する。ここで、電磁石ＯＦＦ信号とは、電磁石の通電をやめて電磁石をＯＦＦするための信号であり、通電電流を停止する他、電磁石の電流をＯＮ→ＯＦＦに切り替えるための制御信号等を電磁石ＯＦＦ信号として用いることができるが、これらに限定されるものではない。
【００５８】
なお、本実施の形態では、電磁石ＯＮ信号の出力から一定時間経過したら電磁石ＯＦＦ信号を出力しているが（ステップＳ１８，Ｓ１９）、電磁石ＯＮ信号を出力済みである場合（ステップＳ１６：Ｙｅｓ）、これらのステップＳ１８，Ｓ１９を行わずに、次回の処理まで待機するように構成してもよい。この後の第１の電気接点（スイッチ回路（１）、（２））の接点ＯＦＦによって、ＡＣ入力３０６から５ＶＥ電源３０１への電力供給が停止するので、コントローラ３０２による電磁石に対する通電のエネルギーも自動的に消滅するからである。図４のフローチャートでは、点線四角領域を実線円領域に変更可能である。
【００５９】
このように本実施の形態では、スイッチ操作部１がＯＮ側からＯＦＦ側に操作された場合でも直ちに第１の電気接点を開状態とせずに接点ＯＮを維持し、シャットダウン前処理を完了してから電磁石を通電して第１の電気接点を開状態にして接点ＯＦＦとしているので、スイッチ操作部１の突然のＯＦＦ操作に対してもスイッチ装置を搭載した機器を安全に停止させることができる。また、機器を使用しない時には、スイッチ装置によってＡＣ電源の遮断を行うことができる。また、機器の動作中および電源ＯＦＦ時の無駄な電力消費が少ないので、電力消費を削減することができる。また、スイッチや必要部品の所要スペースが極力小さいため、スイッチ装置の省スペース化を図ることができる。さらに、従来技術と比較して、製造コストをさらに低減したスイッチ装置を提供することができる。
【００６０】
次に、実施の形態１の変形例について説明する。
【００６１】
（実施の形態１の変形例１）
実施の形態１では、第１の電気接点を接点ＯＦＦにするための電磁石の電源をコントローラから供給していたが、これに限定されるものではない。本変形例１では、この電磁石の電源をＡＣラインから生成するように構成している。
【００６２】
図５は、実施の形態１の変形例１のスイッチの接点の動作や信号の流れを説明する回路構成図である。この変形例において、スイッチ本体部１０の構造、第１の電気接点を接点ＯＮから接点ＯＦＦにするための構造については、実施の形態１で説明した図１、図２と同様である。
【００６３】
本変形例１の回路構成は、図５に示すように、５ＶＥ電源３０１と、コントローラ３０２と、複合メインスイッチ５０３とを主に備えている。ここで、５ＶＥ電源３０１、コントローラ３０２の構成および機能は実施の形態１と同様である。
【００６４】
本変形例１の複合メインスイッチ５０３は、スイッチ回路（１）、（２）と電磁石（スイッチ接点レバＯＮ→ＯＦＦ可動用電磁石コイル４ｂ）とからなるＡＣＳＤスイッチ３０４と、信号スイッチ（４）と、電磁石用電源５０７と、電磁石ドライバ５０８とを備えている。ここで、ＡＣＳＤスイッチ３０４の機能および構成は実施の形態１と同様である。
【００６５】
電磁石用電源５０７は、電磁石（スイッチ接点レバＯＮ→ＯＦＦ可動用電磁石コイル４ｂ）の電源であり、図５に示すように、商用電源であるＡＣ入力３０６からスイッチ回路（１）、（２）を介した後のＡＣラインから取得して電磁石のＯＮに適した電源を生成する。ここで、生成する電源は、直流でも交流でも良いし、場合によっては、ＡＣラインの電力を直接伝達しても良い。
【００６６】
電磁石ドライバ５０８は、電磁石をコントローラ３０２からの制御信号によってＯＮ／ＯＦＦする。本変形例では、この電磁石ドライバ５０８を備えているので、コントローラ３０２からの出力制御信号は微弱なエネルギー（電流）で良い。
【００６７】
電磁石ドライバ５０８は、コントローラ３０２からの制御信号を受けて、電磁石用電源５０７を電磁石へ供給／遮断（電磁石電流のＯＮ／ＯＦＦ）することができる。電磁石ドライバ５０８をリレー回路としても構成することができる他、半導体スイッチング素子として構成することもでき、ＡＣ電源の場合はトライアック等を含む回路としても構成することもできる。
【００６８】
なお、本実施の形態におけるコントローラ３０２による制御処理は、図４で説明した実施の形態１と同様である。
【００６９】
本変形例１では、複合メインスイッチ５０３内部に電磁石用電源５０７を設けることにより、コントローラ３０２側で電磁石ＯＮに必要な電源を設ける必要がなくなるので、コントローラ３０２側の設計の自由度を広げることができるという利点がある。
【００７０】
（実施の形態１の変形例２）
本変形例２は、第１の電気接点を接点ＯＮから接点ＯＦＦにするための電磁石の電源をＡＣラインから生成すると共にスイッチ操作部１がＯＦＦ側に操作されたことをスイッチ自体が検知したら一定時間後に電磁石をＯＮにして第１の電気接点をＯＦＦするタイマ回路スイッチを備えた方式である。
【００７１】
図６は、実施の形態１の変形例２のスイッチの接点の動作や信号の流れを説明する回路構成図である。この変形例において、スイッチ本体部１０の構造、第１の電気接点を接点ＯＮから接点ＯＦＦにするための構造については、実施の形態１で説明した図１、図２と同様である。
【００７２】
本変形例２の回路構成は、図６に示すように、５ＶＥ電源３０１と、コントローラ６０２と、複合メインスイッチ６０３とを主に備えている。ここで、５ＶＥ電源３０１の構成および機能は実施の形態１と同様である。
【００７３】
本変形例２の複合メインスイッチ６０３は、スイッチ回路（１）、（２）と電磁石（スイッチ接点レバＯＮ→ＯＦＦ可動用電磁石コイル４ｂ）とからなるＡＣＳＤスイッチ３０４と、タイマ起動スイッチ（３）と、信号スイッチ（４）と、タイマ・電磁石用電源６０７と、タイマ回路スイッチ６０８とを備えている。ここで、ＡＣＳＤスイッチ３０４の機能および構成は実施の形態１と同様である。
【００７４】
タイマ・電磁石用電源６０７は、タイマ回路スイッチ６０８と電磁石（スイッチ接点レバＯＮ→ＯＦＦ可動用電磁石コイル４ｂ）の電源であり、図６に示すように、商用電源であるＡＣ入力３０６からスイッチ回路（１）、（２）を介した後のＡＣラインから取得して電源を生成する。
【００７５】
タイマ・電磁石用電源６０７は、タイマ回路スイッチ６０８を介して電磁石のスイッチ接点レバＯＮ→ＯＦＦ可動用電磁石コイル４ｂに接続されている。タイマ回路スイッチ６０８には、タイマ起動スイッチ（３）（別のフォトインタラプタ検知等の手段でも良い）からの信号が入力される。本変形例２では、スイッチ操作部１がＯＦＦ側に操作されて、タイマ起動スイッチ（３）が開状態になって接点ＯＦＦになったと同時にタイマ回路（図示省略）による計時が開始され、所定時間をカウントする。所定時間が経過したら、タイマ回路スイッチ６０８のスイッチＯＮ機能が働いて、電磁石をＯＮにする。
【００７６】
なお、タイマ回路スイッチ６０８のスイッチ部分は、上記図５に示される実施の形態１の変形例１の電磁石ドライバ５０８と同様である。言いかえると、タイマ回路スイッチ６０８は電磁石ドライバ５０８に加えて、電磁石ドライバ５０８にＯＮ信号を出力するタイマ回路を備えたものである。
【００７７】
また、スイッチ操作部１がＯＦＦ側に操作されると、同時に信号スイッチ（４）も開状態になって接点ＯＦＦになるので、コントローラ６０２は、この接点ＯＦＦ状態を検知すると速やかにシャットダウン前処理を実行する。すなわち、本変形例２では、実施の形態１およびその変形例１と異なり、第１の電気接点であるスイッチ回路（１）、（２）は、所定時間後に強制的に開状態になって接点ＯＦＦとなる。このため、コントローラ６０２は、この時点までに、シャットダウン前処理を確実に完了する必要がある。従って、上記所定時間は、シャットダウン前処理の完了までの時間以上の時間として設定しておく必要がある。
【００７８】
図７は、実施の形態１の変形例２のコントローラ６０２による制御処理の手順を示すフローチャートである。
【００７９】
まず、コントローラ６０２は、第２の電気接点、すなわち信号スイッチ（４）の開閉状態を検知することにより、スイッチ操作部１がＯＮ側／ＯＦＦ側のいずれの位置にあるかを検知する（ステップＳ２１）。
【００８０】
そして、スイッチ操作部１がＯＮ側に位置している場合は（ステップＳ２１：ＯＮ）、コントローラ６０２は次回の処理まで待機する。一方、スイッチ操作部１がＯＦＦ側に位置している場合は（ステップＳ２１：ＯＦＦ）、コントローラ６０２は、シャットダウン前処理が完了しているか否か、あるいはシャットダウン前処理が不要か否かを判断する（ステップＳ２２）。
【００８１】
そして、シャットダウン前処理が完了していないあるいはシャットダウン前処理が必要と判断した場合（ステップＳ２２：Ｎｏ）、コントローラ６０２はシャットダウン前処理を開始済みか否か判断する（ステップＳ２３）。そして、コントローラ６０２は、シャットダウン前処理を開始済みである場合には（ステップＳ２３：Ｙｅｓ）、シャットダウン前処理を継続し（ステップＳ２４）、次回の処理まで待機する。一方、コントローラ６０２は、シャットダウン前処理を開始済みでない場合には（ステップＳ２３：Ｎｏ）、シャットダウン前処理を開始し（ステップＳ２５）、次回の処理まで待機する。
【００８２】
図４との違いは、ステップＳ１６，Ｓ１７，Ｓ１８，Ｓ１９の処理が不要な点である。図６や図１３(後述)や図１４(後述)の方式では、これらステップＳ１６，Ｓ１７，Ｓ１８，Ｓ１９の処理はスイッチ自体のタイマ機能が一定時間後に自動的に第１の電気接点（スイッチ回路（１）、（２））を開状態にして接点ＯＦＦにすることで行われる。
【００８３】
本変形例２では、複合メインスイッチ６０３自体のタイマ機能が一定時間後に自動的に第１の電気接点（スイッチ回路（１）、（２））を開状態にして接点ＯＦＦとしているので、実施の形態１のような電磁石ＯＮ信号の出力は行わない。
【００８４】
このように本変形例２では、複合メインスイッチ６０３自体のタイマ機能が一定時間後に自動的に第１の電気接点（スイッチ回路（１）、（２））を開状態にして接点ＯＦＦとしているので、コントローラ６０２側で、電磁石ＯＮに必要な電源や電磁石ＯＮ信号等の制御信号の出力が不要であるため、コントローラ６０２側の設計の自由度を、変形例１よりも広げることができる。
【００８５】
（実施の形態１の変形例３）
図８−１は、実施の形態１の変形例３のスイッチの接点の動作や信号の流れを説明する回路構成図である。この変形例において、スイッチ本体部１０の構造については、実施の形態１で説明した図１、図２と同様である。
【００８６】
本変形例３の回路構成は、図８−１に示すように、５ＶＥ電源３０１と、コントローラ８０２と、複合メインスイッチ８０３とを主に備えている。ここで、５ＶＥ電源３０１の構成および機能は実施の形態１と同様である。
【００８７】
本変形例３の複合メインスイッチ８０３は、スイッチ回路（１）、（２）と電磁石（スイッチ接点レバＯＮ→ＯＦＦ可動用電磁石コイル４ｂ）とからなるＡＣＳＤスイッチ３０４と、タイマ起動スイッチ（３）と、信号スイッチ（４）と、タイマ・電磁石用電源６０７と、タイマ回路６１０と、強制ＯＦＦスイッチ６０９とを備えている。ここで、ＡＣＳＤスイッチ３０４の機能および構成は実施の形態１と同様であり、タイマ・電磁石用電源６０７の機能は実施の形態１の変形例２と同様である。
【００８８】
本変形例３では、強制ＯＦＦスイッチ６０９が設けられている点が変形例２と異なっている。この強制ＯＦＦスイッチ６０９は、タイマ回路６１０と並列に接続されており、コントローラ８０２からシャットダウン実行信号を入力した場合に、電磁石（スイッチ接点レバＯＮ→ＯＦＦ可動用電磁石コイル４ｂ）をＯＮ制御する。
【００８９】
すなわち、本変形例３では、スイッチ操作部１がＯＮ側の位置にある場合でも、コントローラ８０２の判断によって、コントローラ８０２からシャットダウン実行信号を入力した場合に、電磁石（スイッチ接点レバＯＮ→ＯＦＦ可動用電磁石コイル４ｂ）をＯＮ制御して、これにより強制的に第１の電気接点をＯＮからＯＦＦに変更するとともに、スイッチ操作部１をＯＮ側からＯＦＦ側へ変更することができる。
【００９０】
なお、図８−１に示される実施の形態１の変形例３のスイッチ部の構成は、図８−２に示すように、上記図５に示される実施の形態１の変形例１の電磁石ドライバ５０８を用い、この電磁石ドライバ５０８にＯＲ回路８０９を接続し、このＯＲ回路８０９により、タイマ回路６１０から出力される電磁石ＯＮ信号とコントローラ８０２から出力されるシャットダウン実行信号との論理和をとった信号を入力するようにしても良い。なお、図８−２では、電磁石（スイッチ接点レバＯＮ→ＯＦＦ可動用電磁石コイル４ｂ）、電磁石ドライバー５０８、ＯＲ回路８０９、タイマ回路６１０、タイマ起動スイッチ（３）、コントローラ８０２のみを示している。
【００９１】
このような構成によっても、スイッチ操作部１がＯＮ側の位置にある場合でもコントローラ８０２の判断によって、強制的に電磁石（スイッチ接点レバＯＮ→ＯＦＦ可動用電磁石コイル４ｂ）に通電して、前記第１の電気接点をＯＮからＯＦＦに変更するとともに、スイッチ操作部１をＯＮ側からＯＦＦ側へ変更することができる。
【００９２】
（実施の形態２）
実施の形態１では、電磁石を用いて第１の電気接点を接点ＯＮから接点ＯＦＦにしたが、本実施の形態では、バイメタルを用いて第１の電気接点を接点ＯＮから接点ＯＦＦにする。
【００９３】
本実施の形態において、スイッチ本体部１０の構造については、実施の形態１で説明した図１と同様である。本実施の形態では、第１の電気接点を閉状態（接点ＯＮ）から開状態（接点ＯＦＦ）にする機構の構造が実施の形態１と異なっている。
【００９４】
図９は、実施の形態２のスイッチ装置において第１の電気接点を閉状態（接点ＯＮ）から開状態（接点ＯＦＦ）にする機構の構造を示す模式図である。図９では、第１のスイッチ接点レバ２１と第１のスイッチ接点レバ２２の下方部分とバイメタルによる電気接点を開状態（接点ＯＦＦ）にする様子を示している。また、図９では、スイッチ操作部１をＯＦＦ操作した後、バイメタル加熱用ヒータ電線４ｅに電流を流して、第１の電気接点が開状態（接点ＯＦＦ）になった状態を示している。
【００９５】
スイッチ操作部１がＯＮからＯＦＦに操作された場合は、実施の形態１で説明したとおり、第２の電気接点（第２のスイッチの接点レバ側接点と第２のスイッチの端子側接点）は開状態となるが、第１の電気接点（第１のスイッチの接点レバ側接点２１ｃと第１のスイッチの端子側接点２１ｄ、および第１のスイッチ接点レバ２２に対応する第１のスイッチの接点レバ側接点（図示省略）と第１のスイッチの端子側接点（図示省略））は、接触状態を維持し、閉状態（接点ＯＮ）となっている。
【００９６】
図１で示したスイッチ本体部１０には、図９に示すように、スイッチ接点レバＯＮ→ＯＦＦ可動用プレート２９ａが第１のスイッチ接点レバ２１と第１のスイッチ接点レバ２２の上面に接合されている。第１のスイッチ接点レバ２１と第１のスイッチ接点レバ２２は連動して動作する。
【００９７】
そして、スイッチ接点レバＯＮ→ＯＦＦ可動用プレート２９ａの上面には、バイメタル４ｃ，４ｄの端部（図９における左側端部）が位置して、湾曲時にスイッチ接点レバＯＮ→ＯＦＦ可動用プレート２９ａの上面に接触する構成となっている。バイメタル４ｃ、４ｄの他方の端部（図９における右側方向の端部）は、図示を省略した固定部材により固定されている。
【００９８】
バイメタル（Ｂｉ−ｍｅｔａｌｌｉｃ  ｓｔｒｉｐ）とは、熱膨張率が異なる２枚の金属板（バイメタル材料）を貼り合わせたものである。本実施の形態では、熱膨張率の小さいバイメタル材料４ｃが下側に、熱膨張率の大きいバイメタル材料４ｄが上側にそれぞれ配置されて貼り合わされている。そして、熱膨張率の大きいバイメタル材料４ｄには、バイメタル加熱用ヒータ電線４ｅが配設されている。
【００９９】
本実施の形態では、後述する回路構成により、このバイメタル加熱用ヒータ電線４ｅに電流を流すことによって、バイメタル４ｃ、４ｄが２種の金属の熱膨張率の相違から、図９に示すように、下側に湾曲する。そして、この湾曲により、バイメタル４ｃ、４ｄの可動する端部（図９における左側端部）がスイッチ接点レバＯＮ→ＯＦＦ可動用プレート２９ａを上部から下方に押圧し、この押圧力により、第１のスイッチ接点レバ２１と第１のスイッチ接点レバ２２の図９における右側部分を押し下げる。これにより、第１の電気接点、すなわち、第１のスイッチの接点レバ側接点２１ｃと第１のスイッチの端子側接点２１ｄ、および第１のスイッチ接点レバ２２に対応する第１のスイッチの接点レバ側接点（図示省略）と第１のスイッチの端子側接点（図示省略）の接触状態（閉状態）は解除されて開状態（接点ＯＦＦ）となる。ここで、バイメタル加熱用ヒータ電線４ｅに流す電流は、直流、交流のいずれでも良い。
【０１００】
また、図９では、バイメタル加熱用ヒータ電線４ｅに電流を流してバイメタル４ｃ、４ｄが湾曲し、第１のスイッチの接点レバ側接点２１ｃと第１のスイッチの端子側接点２１ｄが接点ＯＦＦとなった状態を示しているが、バイメタル加熱用ヒータ電線４ｅに電流を流していない状態では、バイメタル４ｃ、４ｄは湾曲せず略水平状態であり、このため、第１のスイッチの接点レバ側接点２１ｃと第１のスイッチの端子側接点２１ｄおよび第１のスイッチ接点レバ２２に対応する第１のスイッチの接点レバ側接点（図示省略）と第１のスイッチの端子側接点（図示省略）は接点ＯＮの状態となることができる。
【０１０１】
次に、バイメタル加熱用ヒータ電線４ｅに通電して第１の電気接点を開状態にするための回路構成について説明する。図１０は、実施の形態２のスイッチの接点の動作や信号の流れを説明する回路構成図である。
【０１０２】
本実施の形態の回路構成は、図１０に示すように、５ＶＥ電源３０１と、コントローラ９０２と複合メインスイッチ９０３とを主に備えている。ここで、５ＶＥ電源３０１の構成および機能は実施の形態１と同様である。
【０１０３】
本実施の形態の複合メインスイッチ９０３は、スイッチ回路（１）、（２）とバイメタル４ｃ、４ｄとリレー９０７とからなるＡＣＳＤスイッチ９０４と、信号スイッチ（４）とを備えている。ここで、スイッチ回路（１）、（２）、信号スイッチ（４）の機能および構成は実施の形態１と同様である。
【０１０４】
バイメタル加熱用ヒータ電線４ｅの電源は商用電源ＡＣ入力３０６からスイッチ回路（１）、（２）を介した後のＡＣラインから取得している。リレー９０７がＯＮとなってバイメタル加熱用ヒータ電線４ｅに電流が流れると、バイメタル４ｃ、４ｄの変形によって、第１の電気接点であるスイッチ回路（１）、（２）が開状態となり接点ＯＦＦとなる。
【０１０５】
コントローラ９０２は、実施の形態１と同様に、信号スイッチ（４）の開閉を検知することによりスイッチ操作部１のＯＮ／ＯＦＦ状態を検知する。コントローラ９０２は、シャットダウン前処理の実行を完了すると、リレー９０７をＯＮするためにリレーＯＮ信号を出力し、リレー９０７をＯＮにする。そして、バイメタル加熱用ヒータ電線４ｅに通電し、バイメタル４ｃ、４ｄの熱変形によって、スイッチ回路（１）、（２）を開状態として接点ＯＦＦとする。
【０１０６】
ここで、コントローラ９０２のリレー９０７のＯＮ制御は、例えば５秒等の短時間で十分である。このため、リレー９０７のＯＮ制御の動作で消費されるエネルギーは微小で済む。ここで、コントローラ９０２によるリレー９０７のＯＮ制御を短時間にすることは好ましいが、本実施の形態の場合、リレー９０７のＯＮ制御を継続しても、スイッチ回路（１）、（２）の接点を開状態にすると、ＡＣ入力３０６から５ＶＥ電源３０１への電力供給が停止するので、バイメタル加熱用ヒータ電線４ｅへの電力供給も自動的に停止する。バイメタル加熱用ヒータ電線４ｅへの電力供給が停止したら、バイメタル４ｃ，４ｄは自然冷却で、元の略水平の形に戻る。
【０１０７】
次に、スイッチ操作部１がＯＮ側からＯＦＦ側に操作された場合において、このようなコントローラ９０２による第１の電気接点の接点ＯＮ（閉状態）から接点ＯＦＦ（開状態）への制御について説明する。図１１は、実施の形態２のコントローラ９０２による制御処理の手順を示すフローチャートである。
【０１０８】
本実施の形態の制御処理では、ステップＳ３６，Ｓ３７、Ｓ３９の処理が実施の形態１と異なり、他の処理は実施の形態１で説明した図４の処理と同様である。すなわち、コントローラ９０２がシャットダウン前処理を完了した場合（ステップＳ１２：Ｙｅｓ）、リレーＯＮ信号出力済みか否かを判断し（ステップＳ３６）、出力済みでない場合（ステップＳ３６：Ｎｏ）、リレーＯＮ信号を出力してリレー９０７をＯＮとする（ステップＳ３７）。
【０１０９】
また、コントローラ９０２は、リレーＯＮ信号を出力してから一定時間経過後に（ステップＳ１８：Ｙｅｓ）、バイメタル加熱用ヒータ電線４ｅが通電され、バイメタル４ｃ、４ｄが湾曲することにより、スイッチ回路（１）、（２）が開状態となり接点ＯＦＦとなっているので、リレーＯＦＦ信号を出力し（ステップＳ３９）、リレー９０７をＯＦＦにする。これにより、バイメタル加熱用ヒータ電線４ｅには電流が流れなくなり、バイメタル４ｃ，４ｄは略水平の形に戻り、スイッチ接点レバＯＮ→ＯＦＦ可動用プレート２９ａとの接触状態が解除されるので、スイッチ回路（１）、（２）は開状態のままで、接点ＯＦＦを維持する。なお、本実施の形態においても、図４と同様にステップＳ１８，Ｓ３９の処理を行わないように構成してもよい。
【０１１０】
このように本実施の形態では、スイッチ操作部１がＯＮ側からＯＦＦ側に操作された場合でも直ちに第１の電気接点を開状態とせずに接点ＯＮを維持し、シャットダウン前処理を完了してからバイメタル４ｃ、４ｄを湾曲させて第１の電気接点を開状態にして接点ＯＦＦとしているので、スイッチ操作部１の突然のＯＦＦ操作に対してもスイッチ装置を搭載した機器を安全に停止させることができる。また、機器を使用しない時には、スイッチ装置によってＡＣ電源の遮断を行うことができる。また、機器の動作中および電源ＯＦＦ時の無駄な電力消費が少ないので、電力消費を削減することができる。また、スイッチや必要部品の所要スペースが極力小さいため、スイッチ装置の省スペース化を図ることができる。さらに、従来技術と比較して、製造コストをさらに低減したスイッチ装置を提供することができる。
【０１１１】
以下、実施の形態１、２に対する従来技術の例について説明する。
【０１１２】
図１２に示す従来技術例１の方式は、一般的に多くの機器で使用されている方式で、商用電源ＡＣ入力３０６のＯＮ／ＯＦＦをいわゆるメインスイッチとして搭載され、電力供給ユニットへの電力供給／遮断をスイッチ操作に同期して実施している。
【０１１３】
この方式のメリットとしては、構成部品が少なく回路がシンプルでコストが安い点が挙げられる一方、突然のスイッチＯＦＦに対する安全停止処理ができないことがデメリットとして挙げられ、ハードディスクの破壊や通信データの消滅や記憶データの消滅等、場合によっては重大な問題を起こすことがある。
【０１１４】
図１３に示す従来技術例２の方式は、一部の機器で使用されている方式で、コンピュータや液晶プロジェクター等に使用されている。電力供給ユニットへはスイッチを介さないで直接商用電源ＡＣが入力されている。この方式のメリットとしては、突然のスイッチＯＦＦが無いので、機器の使用が終った場合は確実に安全停止処理ができる一方、使用者がスイッチによって電源遮断ができない使いにくさや電源コードを抜かない限り無駄な電力消費が存在してしまう問題がデメリットとして挙げられる。
【０１１５】
図１４に示す従来技術例３の方式は、いわゆるトイレの換気扇スイッチの技術の方式である。この方式では、信号スイッチ（４）は、スイッチ操作部１の操作に連動してリアルタイムで閉状態（接点ＯＮ）、開状態（接点ＯＦＦ）となる。コントローラは、スイッチ操作部１のＯＦＦ操作を信号スイッチ（４）により検知すると、速やかにシャットダウン前処理を実行する。スイッチ操作部１のＯＮ操作に対して、ＡＣスイッチ（１）、（２）は、同時に閉状態（接点ＯＮ）となり、ゼンマイが巻かれる。スイッチ操作部１のＯＦＦ操作に対して、ＡＣスイッチ（１）、（２）は、ゼンマイＯＦＦタイマがスタートして、１〜２分経過後に自動的に開状態（接点ＯＦＦ）となる。この方式のメリットとしては、無駄電力消費無しにゼンマイタイマで所定時間後に商用電源ＡＣ入力３０６のＯＦＦを実行できる点が優れている一方、メカニズムが幾分複雑な点やコストが掛かることがデメリットとして挙げられる。
【０１１６】
実際のトイレ用スイッチとしては、例えばパナソニック電工(株)のＷＮ５２７６が挙げられる。前記スイッチ回路（１）、（２）の機能はＷＮ５２７６の換気扇スイッチ手段で、信号スイッチ（４）の機能はＷＮ５２７６の照明器具スイッチ手段とすれば良い。
【０１１７】
図１５に示す従来技術例４の方式は、既存のＡＣスイッチとＤＣスイッチとリレーを組み合わせた方式である。この方式では、スイッチ（１）、（２）、（３）、（４）は、スイッチ操作部１の操作に連動してリアルタイムで閉状態（接点ＯＮ）、開状態（接点ＯＦＦ）となる。また、スイッチ（１）、（２）の閉状態（接点ＯＮ）で、５ＶＥ電源とタイマ・リレー用電源にＡＣ電力を供給する。タイマ・リレー用電源にＡＣ電力が供給されると、タイマ回路スイッチの接点ＯＮとリレーに電流供給して、スイッチ（５）、（６）を接点ＯＮする。タイマ起動スイッチ（３）等で、スイッチ操作部１のＯＮ操作からＯＦＦ操作への切り換えを検知した場合には、リレーのＯＦＦタイマをスタートさせ、所定時間経過後（例えば、１秒以上の時間経過後）に、リレー電流を遮断する。
【０１１８】
コントローラは、信号スイッチ（４）によりスイッチ操作部１のＯＮ／ＯＦＦ状態を検知する。コントローラがスイッチ操作部１のＯＦＦ状態を検知した場合には、コントローラは速やかにシャットダウン前処理を実行し、上記リレー電流遮断までにシャットダウン前処理を完了する。
【０１１９】
リレー電流遮断後にスイッチ（５）、（６）は開状態（接点ＯＦＦ）にされる。スイッチ（３）等は、１次側／２次側を問わないが、スイッチ（４）は２次側に配置される。
【０１２０】
この方式のメリットとしては、機器の使用が終った場合は、図６の方式と同様に確実に安全停止処理を実施してから、ＡＣスイッチと並列接続されているリレーがタイマでＯＦＦされるので安全なシャットダウンが可能である一方、機器の使用中は常にリレーの励磁用に無駄電力消費が存在してしまう問題や回路構成の複雑さやコストや所要スペースの点がデメリットとして挙げられる。
【０１２１】
図１６に示す従来技術例５の方式は、スイッチ自体は、商用電源ＡＣ入力３０６のＯＮ／ＯＦＦと信号スイッチのＯＮ／ＯＦＦをリアルタイムで実施して、コントローラでスイッチのＯＮ／ＯＦＦ状態を検知しながら、商用電源ＡＣ入力３０６が遮断されてしまっては困る場合は、常にＡＣスイッチと並列なリレー回路をＯＮしておく方式である。この方式では、スイッチ（１）、（２）、（４）は、スイッチ操作部１のＯＮ／ＯＦＦ操作に連動して、リアルタイムで閉状態（接点ＯＮ）、開状態（接点ＯＦＦ）となる。ＡＣスイッチ（１）、（２）の接点ＯＮで５ＶＥ電源にＡＣ電力を供給する。５ＶＥ電源からコントローラに電力供給されると、シャットダウン前処理が完了していないあるいはシャットダウン前処理が必要と判断した場合にコントローラは、リレーに電流供給してスイッチ（５）、（６）を閉状態（接点ＯＮ）にする。
【０１２２】
コントローラは、信号スイッチ（４）の閉状態、開状態によりスイッチ操作部１のＯＮ／ＯＦＦ状態を検知する。コントローラは、スイッチ操作部１のＯＦＦ状態を検知した場合には、コントローラは、必要に応じて速やかにシャットダウン前処理を実行し、シャットダウン前処理の実行が完了したら、リレーをＯＦＦする。リレー電流遮断後に、スイッチ（５）、（６）は開状態（接点ＯＦＦ）にされる。信号スイッチ（４）は、２次側に配置される。本方式では、スイッチＯＮからリレーＯＦＦまでのリレー消費電力が存在する。この方式のメリットとしては、機器の使用が終った場合は、コントローラが確実にシャットダウン前処理を完了してから、コントローラからのリレー制御信号によってリレーをＯＦＦして商用電源ＡＣ入力３０６を遮断するので、安全なシャットダウンが可能である一方、機器の使用中は常にリレーの励磁用に無駄電力消費が存在してしまう問題やコストや所要スペースが別に必要な点等がデメリットとして挙げられる。
【０１２３】
図１７は、従来技術例５におけるコントローラによる制御処理の手順を示すフローチャートである。コントローラは、シャットダウン前処理が完了しているか否か、あるいは必要かどうかを確認する（ステップＳ４１）。そして、シャットダウン前処理が完了していないあるいはシャットダウン前処理が必要と判断した場合（ステップＳ４１：Ｎｏ）、直ちに第１の電気接点を開状態にすると突然のＡＣ電力遮断となって問題になるので、第１の電気接点（スイッチ回路（１）、（２））と並列回路接点（リレー回路接点（５）、（６））となっているリレーをＯＮにする（ステップＳ４２）。
【０１２４】
一方、シャットダウン前処理が完了している、あるいはシャットダウン前処理が不要と判断した場合（ステップＳ４１：Ｙｅｓ）、すなわち直ちに第１の電気接点を開状態としても問題にならない場合、上記リレーをＯＦＦにする（ステップＳ４７）。
【０１２５】
次に、コントローラは、スイッチ操作部１がＯＮ側／ＯＦＦ側のいずれに位置するかを検知する（ステップＳ４３）。スイッチ操作部１がＯＮ側に位置している場合は（ステップＳ４３：ＯＮ）、次回の処理まで待機する。一方、スイッチ操作部１がＯＦＦ側に位置している場合は（ステップＳ４３：ＯＦＦ）、コントローラはシャットダウン前処理を開始済みかどうかを判断する（ステップＳ４４）。これ以降のステップＳ４５，Ｓ４６の処理については、実施の形態１で説明した図４のステップＳ１４，Ｓ１５の処理と同様に行われる。
【０１２６】
図１８は、スイッチの突然遮断を並列リレー回路で回避する方式の制御タイミングを示すタイミングチャートの例である。スイッチ操作部１がＯＮ操作されて、信号スイッチ（４）でコントローラがＯＮ検知すると、リレーをＯＮにして、突然のＡＣ遮断を回避する。その後も突然のＡＣ遮断を回避した状態を維持し、スイッチ操作部１がＯＦＦ操作された場合は、速やかにシャットダウン前処理を実行して、シャットダウン前処理が完了してから、リレー（５）、（６）をＯＦＦする。あるいは、スイッチ操作部１がＯＦＦ操作されると同時にシャットダウン前処理を開始して同処理が完了する見込みの１秒後にリレー（５）、（６）をＯＦＦする。（図１８は後者の場合のタイミングチャートである。）
【０１２７】
以上に説明した、本発明の実施の形態１、２に対する従来技術の例と本発明を比較すれば、従来技術のデメリットを解決したスイッチ装置とそのスイッチ装置を備えたシステムを提供できる。
【０１２８】
以下に、発明が解決しようとしている課題に対してまとめると、
（１）電源スイッチの突然のＯＦＦに対しても機械を安全に停止させることが可能となる。
（２）機械を使用しない時は、電源スイッチによってＡＣ電源の遮断が可能となる。
（３）機械の動作中の無駄電力を少なくすることが可能となる(リレーによるＡＣ通電は行わない)。
（４）機械のＯＦＦモード中の無駄電力を少なくすることが可能となる(パルス電流でスイッチＯＦＦ)。
（５）スイッチや必要部品の所要スペースを極力小さくすることが可能となる。
（６）従来技術より更なる低コストのスイッチ装置を提供することが可能となる。
【０１２９】
なお、図１，図２，図９の各図は、図１に示されるスイッチ本体部１０の中の一部分を示していて、本発明の本質を解かり易く説明するための図となっている。本発明を実現するための手段としては、既存のスイッチ構造に改善や改造や変形を加えることによっても実現できる。例えば、図１９に示す、ヒロセ電機製のリセットスイッチ:ＲＳ３シリーズのようなスイッチ内部構造に改良や改善や変形を加えて本発明を実施することも当業者であれば容易である。
【０１３０】
（実施の形態３）
次に実施の形態３について説明する。実施の形態３のスイッチ装置のスイッチ本体部１０の機械的構造は、図１に示した実施の形態１の構造と同様であるため、図示を省略する。
【０１３１】
実施の形態３のスイッチ装置において第１の電気接点を閉状態（接点ＯＮ）から開状態（接点ＯＦＦ）にする機構の構造について、実施の形態１で用いた図２を参照して説明する。図２では、第１の電気接点がＯＮ状態（閉状態）のときに、まだ電磁石（スイッチ接点レバＯＮ→ＯＦＦ可動用電磁石コイル４ｂ）に電流を流していない状態を示している。図２における各部の構造は実施の形態１と同様であるため、説明を省略する。
【０１３２】
また、スイッチ操作部１がＯＦＦ側にある場合において、スイッチ接点レバＯＮ→ＯＦＦ可動用電磁石コイル４ｂに電流を流すことによって、第１の電気接点をＯＦＦ状態にする点についての機構および動作は、実施の形態１と同様である。
【０１３３】
一方、スイッチ操作部１がＯＮ側の場合は、第１の電気接点および第２の電気接点は閉状態（ＯＮ状態）を維持している。このような場合では、スイッチ接点レバＯＮ→ＯＦＦ可動用電磁石コイル４ｂに電流（直流でも交流でも良い）を流すことによって、第１のスイッチ接点レバ２１と第１のスイッチ接点レバ２２の図２における右側を引き下げると共に、第１のスイッチ接点レバ２１と第１のスイッチ接点レバ２２の図２における左側上部とスイッチ操作部１の左側下部が接している（図２ではスイッチ操作部１の図示は省略されている。図１にスイッチ接点レバ２１と第１のスイッチ接点レバ２２とスイッチ操作部１の位置関係は示されている。）ので、スイッチ操作部１は下方から押し上げられて、第１の電気接点（すなわち、第１のスイッチの接点レバ側接点２１ｃと第１のスイッチの端子側接点２１ｄ、および第１のスイッチ接点レバ２２に対応する第１のスイッチの接点レバ側接点（図示省略）と第１のスイッチの端子側接点（図示省略））が開放状態となるのと連動してスイッチ操作部１もＯＦＦ側になる。すると、スイッチ操作部１の下部１ｂは奥側の第２のスイッチ接点レバ３の全面と接しているので、スイッチ操作部１のＯＮからＯＦＦへの動作とともに、第２のスイッチ接点レバ３も回動して、第２のスイッチ接点レバ３に対応した第２のスイッチの接点レバ側接点（図示省略）と第２のスイッチの端子側接点（図示省略）同士の接触状態を解除され、開状態（接点ＯＦＦ）となる。
【０１３４】
なお、スイッチ接点レバＯＮ→ＯＦＦ可動用電磁石コイル４ｂについては、電磁力や励磁電流の設計値を適宜変更することで、スイッチ操作部１がＯＮ側の場合は、第１の電気接点を強制的にＯＦＦできないようにすることも可能である。言い換えると、スイッチ操作部１がＯＦＦ側の時のみ第１の電気接点はＯＦＦにできる構造のスイッチも可能である。
【０１３５】
また、第１の電気接点のＯＦＦは、スイッチ操作部１がＯＮ状態の場合でもスイッチ装置外のユニットからの信号によって、スイッチ操作部１の操作状態および第１の電気接点をともにＯＦＦ状態にするように変更することができる。このような強制的なスイッチＯＦＦが有効な場合としては、周囲に使用者がいないと判断した場合や、デイリーやウイークリーでのタイマー的な自動ＯＦＦや、周囲の明るさが所定の明るさ以下になったことを検知した場合や、周囲の音量が所定の音量以下になったことを検知した場合や、その他種々の環境の変化を検知した場合や、所定時間以上システムが操作されていなかったり動作していないことを認識した場合や、システムの操作や動作の頻度が所定の値以下となったことを認識した場合等の種々の場合に必要とされる。
【０１３６】
具体的な判断手法としては、例えば、以下のようなものが考えられる。外部ユニットにスイッチ装置システムの周囲の明るさを検知する照度センサを設け、スイッチ装置を、スイッチ操作部１がＯＮ側に位置する場合に、照度センサによって、スイッチ装置システムの周囲の明るさが所定の明るさ以下の状態が所定の時間以上継続した場合に、第１の電気接点をＯＮからＯＦＦに変更するとともにスイッチ操作部１および第２の電気接点をＯＮ側からＯＦＦ側へ変更するように構成する。
【０１３７】
外部ユニットにスイッチ装置システムの周囲の音量を検知する音量検知部を設け、スイッチ装置を、スイッチ操作部１がＯＮ側に位置する場合に、音量検知部によって、スイッチ装置システムの周囲の音量が所定の音量以下の状態が所定の時間以上継続した場合に、第１の電気接点をＯＮからＯＦＦに変更するとともにスイッチ操作部１および第２の電気接点をＯＮ側からＯＦＦ側へ変更するように構成する。
【０１３８】
外部ユニットに、スイッチ装置システムの周囲の人体の存在を検知する人感センサを設け、スイッチ装置を、スイッチ操作部１がＯＮ側に位置する場合に、人感センサによって、スイッチ装置システムの周囲に人体の存在が検知されない状態が所定の時間以上継続した場合に、第１の電気接点をＯＮからＯＦＦに変更するとともにスイッチ操作部１および第２の電気接点をＯＮ側からＯＦＦ側へ変更するように構成する。
【０１３９】
外部ユニットに、現在時刻を取得する現在時刻取得部を設け、スイッチ装置を、スイッチ操作部１がＯＮ側に位置する場合に、現在時刻取得部によって取得した現在時刻が所定の時刻となった場合に、第１の電気接点をＯＮからＯＦＦに変更するとともにスイッチ操作部１および第２の電気接点をＯＮ側からＯＦＦ側へ変更するように構成する。
【０１４０】
外部ユニットに、現在日時と曜日を取得する現在日時取得部を設け、スイッチ装置を、スイッチ操作部１がＯＮ側に位置する場合に、現在日時取得部によって取得した現在日時と曜日が所定の条件の日時や曜日となった場合に、第１の電気接点をＯＮからＯＦＦに変更するとともにスイッチ操作部１および第２の電気接点をＯＮ側からＯＦＦ側へ変更するように構成する。
【０１４１】
なお、これらの所定の時刻または所定の条件の日時や曜日の設定は、プログラマブルに任意に設定可能に構成することができる。
【０１４２】
外部ユニットに、スイッチ装置またはスイッチ装置システムを備えたスイッチ装置機器が操作されていない時間またはスイッチ装置システムが動作していない時間を認識する認識部を設け、スイッチ装置を、スイッチ操作部１がＯＮ側に位置する場合に、認識部によって認識した、スイッチ装置またはスイッチ装置システムを備えたスイッチ装置機器が操作されていない時間またはスイッチ装置システムが動作していない時間が所定の時間以上となった場合に、第１の電気接点をＯＮからＯＦＦに変更するとともにスイッチ操作部１および第２の電気接点をＯＮ側からＯＦＦ側へ変更するように構成する。
【０１４３】
外部ユニットに、スイッチ装置またはスイッチ装置システムを備えたスイッチ装置機器の操作または前記スイッチ装置機器の動作を検知する動作検知部と、一定時間内における前記スイッチ装置機器の操作または前記スイッチ装置機器の動作の頻度を判断する判断部とを設け、スイッチ装置を、スイッチ操作部１がＯＮ側に位置する場合に、判断部によって判断した頻度が所定の頻度以下となった場合に、第１の電気接点をＯＮからＯＦＦに変更するとともにスイッチ操作部１および第２の電気接点をＯＮ側からＯＦＦ側へ変更するように構成する。
【０１４４】
次に、電磁石に通電して第１の電気接点を開状態にするための回路構成について説明する。図２０は、実施の形態３のスイッチの接点の動作や信号の流れを説明する回路構成図である。
【０１４５】
本実施の形態の回路構成は、図２０に示すように、５ＶＥ電源３０１と、コントローラ３０２と複合メインスイッチ３０３と、ＯＲ回路１９０１とを主に備えている。５ＶＥ電源３０１と、複合メインスイッチ３０３の機能および構成については実施の形態１と同様である。
【０１４６】
５ＶＥ電源３０１は、ＤＣ低圧の制御用電源であり、制御部が動作している時は常にＤＣ５Ｖ等の出力電圧を供給することが求められる電源である。複合メインスイッチ３０３は、ＡＣＳＤスイッチ３０４と、信号スイッチ（４）とを備えている。
【０１４７】
ＡＣＳＤスイッチ３０４は、実施の形態１と同様に、スイッチ回路（１）、（２）を備えている。また、ＡＣＳＤスイッチ３０４は、スイッチ回路（１）、（２）のスイッチ接点のＯＦＦやスイッチ操作部１をＯＦＦ側にするための電磁石が備えられている。なお、図２０において、電磁石はスイッチ接点レバＯＮ→ＯＦＦ可動用電磁石コイル４ｂのみを図示している。
【０１４８】
信号スイッチ（４）は、実施の形態１と同様に、第２の電気接点としての第２のスイッチの接点レバ側接点と第２のスイッチの端子側接点（ともに図示省略）に相当し、信号スイッチ（４）は、スイッチ操作部１のＯＮ操作に対して連動して閉状態（接点ＯＮ）になるとともに、スイッチ操作部１のＯＦＦ操作に対して連動して開状態（接点ＯＦＦ）となる。コントローラ３０２は、この信号スイッチ（４）のＯＮ／ＯＦＦ状態を検知することにより、スイッチ操作部１がＯＮ側かＯＦＦ側のどちらに操作されているかを検知することができる。
【０１４９】
スイッチ操作部１がＯＮ操作されるとこのスイッチ回路（１）、（２）がＯＮ状態、すなわち閉状態となり、これにより商用電源ＡＣ入力３０６からＡＣ電力が５ＶＥ電源３０１に供給される。一方、スイッチ操作部１がＯＦＦ操作された場合には、突然のＡＣ電力遮断を回避するため、上述した機構により、第１の電気接点としてのスイッチ回路（１）、（２）の接点は直ちに開状態とならない。
【０１５０】
また、コントローラ３０２が信号スイッチ（４）のスイッチ接点の閉状態を検知している場合でも、コントローラ３０２がＡＣ電力の遮断が必要と判断したら、必要なシャットダウン前処理の実行後にコントローラ３０２から電磁石のスイッチ接点レバＯＮ→ＯＦＦ可動用電磁石コイル４ｂに電流を出力して電磁石をＯＮにする。そして、スイッチ回路（１）、（２）の接点を開放すると共にスイッチ操作部１および第２の電気接点もＯＮ側からＯＦＦ側に切り替わる。
【０１５１】
図２０において、２点鎖線矢印は、実施の形態１と同様に、スイッチ操作部１の動作に対して電気接点が連動して動作するＯＮ／ＯＦＦ状態を示す。従って、スイッチ回路（１）、（２）は、同回路らが開状態（接点ＯＦＦ）でのスイッチ操作部１のＯＮに対してのみ連動して閉状態（接点ＯＮ）となる。（一度閉状態（接点ＯＮ）となったスイッチ回路（１）、（２）はその後のスイッチ操作部１のＯＮ／ＯＦＦ操作に対して、接点状態は閉状態（接点ＯＮ）を維持する。）スイッチ回路（１）、（２）を開状態（接点ＯＦＦ）とするには、スイッチ接点レバＯＮ→ＯＦＦ可動用電磁石コイル４ｂに電流を流すこと（説明後述）で可能である。
【０１５２】
図２０における点線の矢印は、一瞬の電磁石の力によるスイッチ接点をＯＮ→ＯＦＦさせることができることを示している。スイッチ回路（１）、（２）の接点が相当する。すなわち、スイッチ接点レバＯＮ→ＯＦＦ可動用電磁石コイル４ｂが通電されると、スイッチ回路（１）、（２）が閉状態から開状態となる。
【０１５３】
また、スイッチ操作部１がＯＦＦ側（第２の電気接点はＯＦＦ側）の場合は、第１の電気接点のみが接点ＯＦＦとなるが、スイッチ操作部１がＯＮ側の場合は、第１の電気接点が接点ＯＦＦすると共にスイッチ操作部１および第２の電気接点もＯＮ側→ＯＦＦ側に切り替わる。
【０１５４】
コントローラ３０２は、５ＶＥ電源３０１に接続されており、コントローラ３０２は、信号スイッチ（４）の開／閉状態を検知している。本実施の形態では、コントローラ３０２は、信号スイッチ（４）の開状態を検知した場合や、スイッチ操作部１がＯＮ側にあることを認識した状態でもＡＣ電力の遮断が必要であると判断した場合には、速やかに実施の形態１と同様のシャットダウン前処理を実行する。
【０１５５】
コントローラ３０２は、シャットダウン前処理の実行を完了したら、電磁石に対して電磁石ＯＮ信号を出力して、電磁石のスイッチ接点レバＯＮ→ＯＦＦ可動用電磁石コイル４ｂに電流を流して電磁石をＯＮにする。これにより、第１の電気接点としてのスイッチ回路（１）、（２）の接点が開状態となり、接点ＯＦＦとなる。
【０１５６】
さらに、本実施の形態では、コントローラ３０２の暴走対策として、コントローラウォッチングドック信号（ＷＤ信号）や通信異常信号が発生した場合でも、ＯＲ回路１９０１でＷＤ信号、通信異常信号、電磁石ＯＮ／ＯＦＦ信号の論理和をとり電磁石をＯＮにしてＡＣ電力を遮断する。
【０１５７】
次に、コントローラ３０２による第１の電気接点の接点ＯＮ（閉状態）から接点ＯＦＦ（開状態）への制御について詳細に説明する。図２１は、実施の形態３のコントローラ３０２による制御処理の手順を示すフローチャートである。ここで、図２１に示す制御処理は、コントローラ制御のメインルーチンの中で毎回実行されるように構成する他、例えば２０ｍｓ毎等の一定時間毎に実行するように構成することができる。
【０１５８】
まず、コントローラ３０２は、第２の電気接点、すなわち信号スイッチ（４）の開閉状態を検知することにより、スイッチ操作部１がＯＮ側／ＯＦＦ側のいずれの位置にあるかを検知する（ステップＳ１１）。
【０１５９】
そして、スイッチ操作部１がＯＦＦ側に位置している場合の処理（ステップＳ１１：ＯＦＦ、ステップＳ１２〜Ｓ１９）については実施の形態１における処理と同様に行われる。
【０１６０】
一方、ステップＳ１１において、スイッチ操作部１がＯＮ側に位置している場合は（ステップＳ１１：ＯＮ）、コントローラ３０２は、ＡＣ電力の遮断を強制的に実行するかどうか否かを判断する（ステップＳ１０）。この判断条件としては、以下の条件等が挙げられる。
【０１６１】
すなわち、スイッチ装置を備えたスイッチ装置システムで、周囲に使用者がいないと判断した場合、デイリーやウイークリーでのタイマー的な管理でスイッチ装置を備えたスイッチ装置システムを使用しない時間帯と判断した場合、周囲の明るさや音等の周囲環境の変化を検知した場合などである。
【０１６２】
そして、ＡＣ電力の遮断を強制的に実行すると判断した場合（ステップＳ１０：Ｙｅｓ）、ステップＳ１２へ進み、ステップＳ１２〜Ｓ１９までの処理が実行される。一方、ステップＳ１０で、ＡＣ電力の遮断を実行しないと判断した場合には（ステップＳ１０：Ｎｏ）、次回の処理まで待機する。
【０１６３】
なお、本実施の形態においても、ステップＳ１８，Ｓ１９の処理を実行せず、図２１のフローチャートでは、点線四角領域を実線円領域に変更可能である。
【０１６４】
このように本実施の形態では、実施の形態１と同様の効果を奏する他、さらに、従来のリセット機能付きスイッチ（例えば、パナソニック電工（Ｒ）製のＡＪ８Ｒシリーズ、ヒロセ電機（Ｒ）製のＲＳ３シリーズ、オムロン株式会社（Ｒ）製のＡ８Ｇシリーズ等）のように、スイッチの操作状態およびスイッチ接点がＯＮ状態の場合に、スイッチ装置外部のユニットからの信号によって、スイッチの操作状態およびスイッチ接点を一緒にＯＦＦ状態に変更することができる。
【０１６５】
（実施の形態３の変形例）
実施の形態３では、電磁石の電源をコントローラから供給していたが、これに限定されるものではない。本変形例では、実施の形態１の変形例１と同様に、この電磁石の電源をＡＣラインから生成するように構成している。
【０１６６】
図２２は、実施の形態３の変形例のスイッチの接点の動作や信号の流れを説明する回路構成図である。この変形例において、スイッチ本体部１０の構造、第１の電気接点を接点ＯＮから接点ＯＦＦにするための構造については、実施の形態１，３で説明した図１、図２と同様である。
【０１６７】
本変形例の回路構成は、図２２に示すように、５ＶＥ電源３０１と、コントローラ３０２と、複合メインスイッチ５０３と、ＯＲ回路１９０１とを主に備えている。ここで、５ＶＥ電源３０１、コントローラ３０２、ＯＲ回路１９０１の構成および機能は実施の形態３と同様である。このため、実施の形態３で説明した図２０と同一または類似の部分については適宜説明を省略する。
【０１６８】
本変形例の複合メインスイッチ５０３は、スイッチ回路（１）、（２）と、第１の電気接点が接点ＯＮのときに接点ＯＦＦにするための電磁石（スイッチ接点レバＯＮ→ＯＦＦ可動用電磁石コイル４ｂ）とからなるＡＣＳＤスイッチ３０４と、信号スイッチ（４）と、電磁石用電源５０７と、電磁石ドライバ５０８とを備えている。ここで、ＡＣＳＤスイッチ３０４の機能および構成は実施の形態３と同様である。
【０１６９】
電磁石用電源５０７は、スイッチ回路（１），（２）のスイッチ接点の開放やスイッチ操作部１および第２の電気接点をＯＮ側からＯＦＦ側にさせるための電磁石（スイッチ接点レバＯＮ→ＯＦＦ可動用電磁石コイル４ｂ）の電源であり、図２２に示すように、商用電源であるＡＣ入力３０６からスイッチ回路（１）、（２）を介した後のＡＣラインから取得して電磁石のＯＮに適した電源を生成する。ここで、生成する電源は、直流でも交流でも良いし、場合によっては、ＡＣラインの電力を直接伝達しても良い。
【０１７０】
電磁石ドライバ５０８は、電磁石をコントローラ３０２からの制御信号によってＯＮ／ＯＦＦする。本変形例では、この電磁石ドライバ５０８を備えているので、コントローラ３０２からの出力制御信号は微弱なエネルギー（電流）で良い。
【０１７１】
電磁石ドライバ５０８は、コントローラ３０２からの制御信号を受けて、電磁石用電源５０７を電磁石へ供給／遮断（電磁石電流のＯＮ／ＯＦＦ）することができる。電磁石ドライバ５０８をリレー回路としても構成することができる他、半導体スイッチング素子として構成することもでき、ＡＣ電源の場合はトライアック等を含む回路としても構成することもできる。
【０１７２】
なお、本実施の形態におけるコントローラ３０２による制御処理は、図２１で説明した実施の形態３と同様である。
【０１７３】
本変形例では、複合メインスイッチ５０３内部に電磁石用電源５０７を設けることにより、コントローラ３０２側で電磁石ＯＮに必要な電源を設けることが不要となるので、コントローラ３０２側の設計の自由度を広げることができるという利点がある。
【０１７４】
（実施の形態４）
実施の形態３では、電磁石を用いて第１の電気接点を接点ＯＮから接点ＯＦＦにしたが、本実施の形態では、実施の形態２と同様に、バイメタルを用いて第１の電気接点を接点ＯＮから接点ＯＦＦにする。
【０１７５】
本実施の形態において、スイッチ本体部１０の構造については、実施の形態１、３で説明した図１と同様である。本実施の形態では、第１の電気接点を閉状態（接点ＯＮ）から開状態（接点ＯＦＦ）にする機構の構造が実施の形態１，３と異なっている。
【０１７６】
実施の形態４のスイッチ装置において第１の電気接点を閉状態（接点ＯＮ）のときにバイメタルで接点ＯＦＦにする機構の構造は、実施の形態２で説明した図９を参照する。
【０１７７】
スイッチ操作部１がＯＮからＯＦＦに操作された場合は、実施の形態１で説明したとおり、第２の電気接点（第２のスイッチの接点レバ側接点と第２のスイッチの端子側接点）は開状態となるが、第１の電気接点（第１のスイッチの接点レバ側接点２１ｃと第１のスイッチの端子側接点２１ｄ、および第１のスイッチ接点レバ２２に対応する第１のスイッチの接点レバ側接点（図示省略）と第１のスイッチの端子側接点（図示省略））は、接触状態を維持し、閉状態（接点ＯＮ）となっている。
【０１７８】
本実施の形態では、後述する回路構成により、このバイメタル加熱用ヒータ電線４ｅに電流を流すことによって、実施の形態２と同様に、第１の電気接点、すなわち、第１のスイッチの接点レバ側接点２１ｃと第１のスイッチの端子側接点２１ｄ、および第１のスイッチ接点レバ２２に対応する第１のスイッチの接点レバ側接点（図示省略）と第１のスイッチの端子側接点（図示省略）の接触状態（閉状態）は解除されて開状態（接点ＯＦＦ）となる。ここで、バイメタル加熱用ヒータ電線４ｅに流す電流は、直流、交流のいずれでも良い。
【０１７９】
なお、図９では、第１の電気接点が接点ＯＮから、バイメタル加熱用ヒータ電線４ｅに電流を流して第１のスイッチ接点レバ２１と第１のスイッチ接点レバ２２の右側を押し下げて、第１の電気接点が接点ＯＦＦになった状態を示している。
【０１８０】
さらに、本実施の形態では、実施の形態３と同様に、スイッチ操作部１がＯＦＦ側（第２の電気接点はＯＦＦ側）の時に第１の電気接点の接点ＯＦＦを行う他、スイッチ操作部１がＯＮ側の場合は、第１の電気接点が接点ＯＦＦすると共にスイッチ操作部１および第２の電気接点もＯＮ側→ＯＦＦ側に切り替わる。
【０１８１】
次に、バイメタル加熱用ヒータ電線４ｅに通電して第１の電気接点を開状態にするための回路構成について説明する。図２３は、実施の形態３のスイッチの接点の動作や信号の流れを説明する回路構成図である。
【０１８２】
本実施の形態の回路構成は、図２３に示すように、５ＶＥ電源３０１と、コントローラ９０２と複合メインスイッチ９０３と、ＯＲ回路１９０１とを主に備えている。ここで、５ＶＥ電源３０１、ＯＲ回路１９０１の構成および機能は実施の形態３と同様である。
【０１８３】
本実施の形態の複合メインスイッチ９０３は、スイッチ回路（１）、（２）とバイメタル４ｃ、４ｄとリレー９０７とからなるＡＣＳＤスイッチ９０４と、信号スイッチ（４）とを備えている。ここで、スイッチ回路（１）、（２）、信号スイッチ（４）の機能および構成は実施の形態３と同様である。
【０１８４】
バイメタル加熱用ヒータ電線４ｅの電源は商用電源ＡＣ入力３０６からスイッチ回路（１）、（２）を介した後のＡＣラインから取得している。リレー９０７がＯＮとなってバイメタル加熱用ヒータ電線４ｅに電流が流れると、バイメタル４ｃ、４ｄの変形によって、第１の電気接点であるスイッチ回路（１）、（２）の開放やスイッチ操作部１をＯＦＦ側にできるようになっている。
【０１８５】
コントローラ９０２は、シャットダウン前処理の実行を完了すると、リレー９０７をＯＮするための電流であるリレーＯＮ信号を出力し、リレー９０７をＯＮにする。そして、バイメタル加熱用ヒータ電線４ｅに通電し、バイメタル４ｃ、４ｄの熱変形によって、スイッチ回路（１）、（２）を開状態として接点ＯＦＦとする。この時スイッチ操作部１がＯＮ側であった場合は、スイッチ回路（１）、（２）の接点の開放と共にスイッチ操作部１および第２の電気接点はＯＮ側→ＯＦＦ側に切り替わる。
【０１８６】
次に、コントローラ９０２による第１の電気接点の接点ＯＮ（閉状態）から接点ＯＦＦ（開状態）への制御について説明する。図２４は、実施の形態４のコントローラ９０２による制御処理の手順を示すフローチャートである。
【０１８７】
まず、コントローラ９０２は、第２の電気接点、すなわち信号スイッチ（４）の開閉状態を検知することにより、スイッチ操作部１がＯＮ側／ＯＦＦ側のいずれの位置にあるかを検知する（ステップＳ１１）。
【０１８８】
そして、スイッチ操作部１がＯＦＦ側に位置している場合の処理（ステップＳ１１：ＯＦＦ、ステップＳ１２〜Ｓ１５，Ｓ１８、Ｓ３６，Ｓ３７、Ｓ３９）については実施の形態２における処理と同様に行われる。
【０１８９】
一方、ステップＳ１１において、スイッチ操作部１がＯＮ側に位置している場合は（ステップＳ１１：ＯＮ）、コントローラ９０２は、ＡＣ電力の遮断を強制的に実行するかどうか否かを判断する（ステップＳ１０）。この判断条件としては、実施の形態３と同様に、スイッチ装置を備えたスイッチ装置システムで、周囲に使用者がいないと判断した場合、デイリーやウイークリーでのタイマー的な管理でスイッチ装置を備えたスイッチ装置システムを使用しない時間帯と判断した場合、周囲の明るさや音等の周囲環境の変化を検知した場合などである。
【０１９０】
そして、ＡＣ電力の遮断を強制的に実行すると判断した場合（ステップＳ１０：Ｙｅｓ）、ステップＳ１２へ進み、ステップＳ１２〜Ｓ１５，Ｓ１８、Ｓ３６，Ｓ３７、Ｓ３９までの処理が実行される。一方、ステップＳ１０で、ＡＣ電力の遮断を実行しないと判断した場合には（ステップＳ１０：Ｎｏ）、次回の処理まで待機する。
【０１９１】
このように本実施の形態では、実施の形態２と同様の効果を奏する他、さらに、従来のリセット機能付きスイッチ（例えば、パナソニック電工（Ｒ）製のＡＪ８Ｒシリーズ、ヒロセ電機（Ｒ）製のＲＳ３シリーズ、オムロン株式会社（Ｒ）製のＡ８Ｇシリーズ等）のように、スイッチの操作状態およびスイッチ接点がＯＮ状態の場合に、スイッチ装置外部のユニットからの信号によって、スイッチの操作状態およびスイッチ接点を一緒にＯＦＦ状態に変更することができる。
【０１９２】
以上実施の形態および変形例について説明したが、本発明はこれらの形態に限定されるものではない。
【０１９３】
なお、図１，２もしくは図９で示された各構成部品の位置関係や方向や大きさ等についても種々の変形が可能である。また、本発明で示した図は本発明の本質を説明するためのものであって、本発明の範囲外のスイッチの詳細部分等の図示や説明は省略してある。例えば、スイッチ接点の接触状態を確実なものにするために、スイッチ操作部１の下部とスイッチ接点レバ２１や２２や２３との間にバネを設ける等の構成がスイッチとして必要なことはいうまでも無い。
【０１９４】
また、上記実施の形態では、第１の電気接点としては、商用電源ＡＣ入力３０６のＯＮ／ＯＦＦを例として説明したが、これに限定されるものではない。例えば、上記実施の形態１〜４のスイッチ装置、スイッチ装置と外部ユニットとからなるスイッチ装置システムを、バッテリ搭載機器の自動車や輸送機器、画像形成装置、電気機器、工作機械、医療機器等へ適用することも可能である。また、スイッチ内部でのＡＣ／ＤＣや使用電圧の差によって、安全上や機能上必要な空間距離や沿面距離を確保することが必要になる。
【符号の説明】
【０１９５】
１  スイッチ操作部
１ａ  支点
１ｂ  下部
２１，２２  第１のスイッチ接点レバ
２１ａ，２２ａ  第１のスイッチの接点レバ導体
２１ｂ，２２ｂ  第１のスイッチの接点レバ動作時常時接触導体
２１ｃ  第１のスイッチの接点レバ側接点
２１ｄ，２２ｄ  第１のスイッチの端子側接点
２１ｅ，２２ｅ  第１のスイッチの接点レバ動作時常時接触導体側の端子
２１ｆ，２２ｆ  第１のスイッチのＯＮ−ＯＦＦ接点側の端子
３  第２のスイッチ接点レバ
３ｅ  第２のスイッチの接点レバ動作時常時接触導体側の端子
３ｆ  第２のスイッチのＯＮ−ＯＦＦ接点側の端子
４ａ  スイッチ接点レバＯＮ→ＯＦＦ可動用鉄心
４ｂ  スイッチ接点レバＯＮ→ＯＦＦ可動用電磁石コイル
４ｃ、４ｄ  バイメタル材料
４ｅ  バイメタル加熱用ヒータ電線
１０  スイッチ本体部
２９  スイッチ接点レバＯＮ→ＯＦＦ可動用鉄板
２９ａ  スイッチ接点レバＯＮ→ＯＦＦ可動用プレート
３０１  電源
３０２，６０２，８０２，９０２  コントローラ
３０３，５０３，６０３，８０３，９０３  複合メインスイッチ
３０４，９０４  ＡＣＳＤスイッチ
３０６  商用電源ＡＣ入力
５０７  電磁石用電源
５０８  電磁石ドライバ
６０７  タイマ・電磁石用電源
６０８  タイマ回路スイッチ
６０９  強制ＯＦＦスイッチ
６１０  タイマ回路
８０９，１９０１  ＯＲ回路
９０７  リレー
【先行技術文献】
【特許文献】
【０１９６】
【特許文献１】特開２００２−８４９０号公報
【特許文献２】特開２００２−１５９１４３号公報
【図１】
2011171284.tif 000003
【図２】
2011171284.tif 000004
【図３】
2011171284.tif 000005
【図４】
2011171284.tif 000006
【図５】
2011171284.tif 000007
【図６】
2011171284.tif 000008
【図７】
2011171284.tif 000009
【図８−１】
2011171284.tif 000010
【図８−２】
2011171284.tif 000011
【図９】
2011171284.tif 000012
【図１０】
2011171284.tif 000013
【図１１】
2011171284.tif 000014
【図１２】
2011171284.tif 000015
【図１３】
2011171284.tif 000016
【図１４】
2011171284.tif 000017
【図１５】
2011171284.tif 000018
【図１６】
2011171284.tif 000019
【図１７】
2011171284.tif 000020
【図１８】
2011171284.tif 000021
【図１９】
2011171284.tif 000022
【図２０】
2011171284.tif 000023
【図２１】
2011171284.tif 000024
【図２２】
2011171284.tif 000025
【図２３】
2011171284.tif 000026
【図２４】
2011171284.tif 000027